(57)【要約】【課題】コンテンツを電池残量に応じて受信できる表示端末、データ更新システム、及び表示端末プログラムを提供する。【解決手段】表示端末のメイン処理が実行されると、通信指示を受け付けたか否かが判断される（Ｓ１１）。通信指示を受け付けた場合（Ｓ１１：ＹＥＳ）、表示端末の電池残量を取得する処理が行われ（Ｓ１４）、電池残量及び設定テーブルから送信テーブルを作成する処理が行われる（Ｓ１５）。そして、送信テーブルがサーバへ送信され（Ｓ１６）、新着コンテンツ有り信号を受信したか否かの判断が行われる（Ｓ１８）。サーバから新着コンテンツ有り信号を受信した場合（Ｓ１８：ＹＥＳ）、コンテンツ受信処理が行われ（Ｓ１９）、サーバから新着コンテンツデータを受信する。これにより、新着コンテンツデータを電池残量に応じて受信できる。【選択図】図７
2010086312.tif 000002
【特許請求の範囲】
【請求項１】
コンテンツのデータを表示する表示端末に電力を供給する電池と、
サーバに記憶されている前記コンテンツのデータを特定するコンテンツ特定情報と前記電池の電池残量とを対応付けた取得コンテンツ情報をユーザより受け付ける受付手段と、
前記電池の前記電池残量を取得する電池残量取得手段と、
前記受付手段により受け付けられた前記取得コンテンツ情報を取得コンテンツ情報記憶手段に記憶させる取得コンテンツ情報記憶制御手段と、
前記電池残量取得手段により取得された前記電池残量に対応した前記コンテンツ特定情報を前記取得コンテンツ情報記憶手段より取得するコンテンツ特定情報取得手段と、
前記コンテンツ特定情報取得手段により取得された前記コンテンツ特定情報を、前記サーバへ送信する第１送信手段と、
前記第１送信手段により送信された前記コンテンツ特定情報に対応した前記コンテンツのデータを前記サーバより受信する受信手段とを備えたことを特徴とする表示端末。
【請求項２】
前記取得コンテンツ情報において、前記電池残量の多い方が、前記電池残量の少ない方よりも、前記電池残量に対応づけられる前記コンテンツ特定情報の数の最大数が大きくなり、
前記電池残量毎に前記最大数が対応づけられて記憶された最大数記憶手段から、前記電池残量に対応した前記最大数を取得する最大数取得手段を備え、
前記受付手段は、前記取得コンテンツ情報に対応づけられた前記コンテンツ特定情報の数が、前記最大数取得手段により取得された前記最大数以下である前記取得コンテンツ情報を受け付けることを特徴とする請求項１に記載の表示端末。
【請求項３】
前記取得コンテンツ情報記憶手段に記憶される前記取得コンテンツ情報は、前記コンテンツのデータを前記サーバより受信するための条件であるコンテンツ属性を前記コンテンツ特定情報毎に備え、
前記受信手段は、前記取得コンテンツ情報の前記コンテンツ特定情報に対応したデータを、前記コンテンツ特定情報に対応付けられた前記コンテンツ属性の条件に基づいて、前記サーバより受信することを特徴とする請求項１又は２に記載の表示端末。
【請求項４】
前記コンテンツのデータを前記サーバより受信する日時である受信日時が記憶された受信日時記憶手段から前記受信日時を取得する受信日時取得手段と、
現在の日時が、前記受信日時取得手段により取得された前記受信日時になったか否かを判断する受信日時判断手段とを備え、
前記コンテンツ特定情報取得手段は、前記受信日時判断手段により現在の日時が前記受信日時になったと判断された場合、前記電池残量取得手段により取得された前記電池残量に応じて、前記取得コンテンツ情報記憶手段から前記コンテンツ特定情報を取得することを特徴とする請求項１乃至３のいずれかに記載の表示端末。
【請求項５】
前記取得コンテンツ情報記憶手段を備えたことを特徴とする請求項１乃至４のいずれかに記載の表示端末。
【請求項６】
前記取得コンテンツ情報記憶手段には、前記表示端末を識別する端末識別情報毎に、前記取得コンテンツ情報が記憶され、
前記表示端末を識別する端末識別情報、及び前記電池残量取得手段により取得された前記電池残量を前記サーバに送信する第２送信手段を備え、
前記受信手段は、前記取得コンテンツ情報記憶手段を備えた前記サーバから、前記第２送信手段により送信された前記端末識別情報、及び前記電池残量に基づいて、前記取得コンテンツ情報記憶手段に記憶されている前記取得コンテンツ情報の前記コンテンツ特定情報に対応したデータを受信することを特徴とする請求項１乃至４のいずれかに記載の表示端末。
【請求項７】
請求項１乃至４のいずれかに記載の表示端末と、前記表示端末に表示させるコンテンツのデータを記憶するサーバとから構成されたデータ更新システムにおいて、
前記サーバは、
前記表示端末の前記第１送信手段により送信された前記コンテンツ特定情報を受信するサーバ受信手段と、
前記サーバ受信手段により受信した前記コンテンツ特定情報に対応した前記コンテンツのデータを前記表示端末に送信するサーバ送信手段と
を備えたことを特徴とするデータ更新システム。
【請求項８】
請求項１乃至６のいずれかに記載の表示端末の各種処理として表示端末に内蔵されたコンピュータを機能させることを特徴とする表示端末プログラム。
【発明の詳細な説明】
【技術分野】
【０００１】
本発明は、表示端末、データ更新システム、及び表示端末プログラムに関するものであり、詳細には、コンテンツを電池残量に応じて受信できる表示端末、データ更新システム、及び表示端末プログラムに関するものである。
【背景技術】
【０００２】
従来、コンテンツをサーバより受信する携帯通信端末装置において、定期的にコンテンツをサーバから受信する携帯通信端末装置が知られている（例えば、特許文献１参照）。この特許文献１に記載の携帯通信端末装置では、予め設定された所定期間毎に、定期的に内容が更新される定期更新コンテンツを記憶するサーバ装置からの定期更新コンテンツの取得をユーザに対して催促する。そして、催促に従う定期更新コンテンツの取得指示がユーザより行われると、携帯通信端末装置はサーバ装置にアクセスし、サーバ装置から定期更新コンテンツを取得する。このように、携帯通信端末装置は定期更新コンテンツの取得をユーザに対して促すので、ユーザは催促に従って定期更新コンテンツの取得を携帯通信端末装置に指示するだけで、新しく更新された定期更新コンテンツを見逃すことなく楽しむことができる。
【特許文献１】特開２００３−４４４７７号公報
【発明の開示】
【発明が解決しようとする課題】
【０００３】
しかしながら、特許文献１に記載の発明の携帯通信端末装置では、予め設定された所定期間毎に、指定された定期更新コンテンツをサーバ装置から取得するための催促が、電池残量とは関係なくサーバ装置から行われるため、コンテンツを電池残量に応じて受信できないという問題点があった。
【０００４】
そこで、本発明は、上述した問題を解決するためになされたものであり、コンテンツを電池残量に応じて受信できる表示装置、データ更新システム、及び表示端末プログラムを提供することを目的とする。
【課題を解決するための手段】
【０００５】
上記目的を達成するために、請求項１に係る発明の表示端末は、コンテンツのデータを表示する表示端末に電力を供給する電池と、サーバに記憶されている前記コンテンツのデータを特定するコンテンツ特定情報と前記電池の電池残量とを対応付けた取得コンテンツ情報をユーザより受け付ける受付手段と、前記電池の前記電池残量を取得する電池残量取得手段と、前記受付手段により受け付けられた前記取得コンテンツ情報を取得コンテンツ情報記憶手段に記憶させる取得コンテンツ情報記憶制御手段と、前記電池残量取得手段により取得された前記電池残量に対応した前記コンテンツ特定情報を前記取得コンテンツ情報記憶手段より取得するコンテンツ特定情報取得手段と、前記コンテンツ特定情報取得手段により取得された前記コンテンツ特定情報を、前記サーバへ送信する第１送信手段と、前記第１送信手段により送信された前記コンテンツ特定情報に対応した前記コンテンツのデータを前記サーバより受信する受信手段とを備えている。
【０００６】
また、請求項２に係る発明の表示端末は、請求項１に記載の発明の構成に加え、前記取得コンテンツ情報において、前記電池残量の多い方が、前記電池残量の少ない方よりも、前記電池残量に対応づけられる前記コンテンツ特定情報の数の最大数が大きくなり、前記電池残量毎に前記最大数が対応づけられて記憶された最大数記憶手段から、前記電池残量に対応した前記最大数を取得する最大数取得手段を備え、前記受付手段は、前記取得コンテンツ情報に対応づけられた前記コンテンツ特定情報の数が、前記最大数取得手段により取得された前記最大数以下である前記取得コンテンツ情報を受け付けることを特徴とする。
【０００７】
また、請求項３に係る発明の表示端末は、請求項１又は２に記載の発明の構成に加え、前記取得コンテンツ情報記憶手段に記憶される前記取得コンテンツ情報は、前記コンテンツのデータを前記サーバより受信するための条件であるコンテンツ属性を前記コンテンツ特定情報毎に備え、前記受信手段は、前記取得コンテンツ情報の前記コンテンツ特定情報に対応したデータを、前記コンテンツ特定情報に対応付けられた前記コンテンツ属性の条件に基づいて、前記サーバより受信することを特徴とする。
【０００８】
また、請求項４に係る発明の表示端末は、請求項１乃至３のいずれかに記載の発明の構成に加え、前記コンテンツのデータを前記サーバより受信する日時である受信日時が記憶された受信日時記憶手段から前記受信日時を取得する受信日時取得手段と、現在の日時が、前記受信日時取得手段により取得された前記受信日時になったか否かを判断する受信日時判断手段とを備え、前記コンテンツ特定情報取得手段は、前記受信日時判断手段により現在の日時が前記受信日時になったと判断された場合、前記電池残量取得手段により取得された前記電池残量に応じて、前記取得コンテンツ情報記憶手段から前記コンテンツ特定情報を取得することを特徴とする。
【０００９】
また、請求項５に係る発明の表示端末は、請求項１乃至４のいずれかに記載の発明の構成に加え、前記取得コンテンツ情報記憶手段を備えている。
【００１０】
また、請求項６に係る発明の表示端末は、請求項１乃至４のいずれかに記載の発明の構成に加え、前記取得コンテンツ情報記憶手段には、前記表示端末を識別する端末識別情報毎に、前記取得コンテンツ情報が記憶され、前記表示端末を識別する端末識別情報、及び前記電池残量取得手段により取得された前記電池残量を前記サーバに送信する第２送信手段を備え、前記受信手段は、前記取得コンテンツ情報記憶手段を備えた前記サーバから、前記第２送信手段により送信された前記端末識別情報、及び前記電池残量に基づいて、前記取得コンテンツ情報記憶手段に記憶されている前記取得コンテンツ情報の前記コンテンツ特定情報に対応したデータを受信することを特徴とする。
【００１１】
また、請求項７に係る発明のデータ更新システムは、請求項１乃至４のいずれかに記載の表示端末と、前記表示端末に表示させるコンテンツのデータを記憶するサーバとから構成されたデータ更新システムにおいて、前記サーバは、前記表示端末の前記第１送信手段により送信された前記コンテンツ特定情報を受信するサーバ受信手段と、前記サーバ受信手段により受信した前記コンテンツ特定情報に対応した前記コンテンツのデータを前記表示端末に送信するサーバ送信手段とを備えている。
【００１２】
また、請求項８に係る表示端末プログラムは、請求項１乃至６のいずれかに記載の表示端末の各種処理手段として表示端末に内蔵されたコンピュータを機能させることを特徴とする。
【発明の効果】
【００１３】
請求項１に係る発明の表示端末では、受付手段で受け付けた取得コンテンツ情報を取得コンテンツ情報記憶制御手段により取得コンテンツ情報記憶手段に記憶することができる。また、電池残量取得手段により取得された電池の電池残量に対応したコンテンツ特定情報を取得コンテンツ情報記憶手段から取得し、コンテンツのデータを記憶するサーバから、コンテンツ特定情報に対応したデータを受信することができる。これにより、ユーザは、電池残量に応じてサーバから受信するコンテンツを選択することができる。ユーザは、電池残量が少なくなった場合に必要なコンテンツのデータだけを受信するように設定できるため、電池残量が少なくなった時に不要なコンテンツのデータを受信して、電池を消費することを防げる。
【００１４】
また、請求項２に係る発明の表示端末では、請求項１に記載の発明の効果に加え、取得コンテンツ情報の電池残量毎に対応づけることが可能なコンテンツ特定情報の最大数が記憶された最大数記憶手段から最大数を取得し、受信手段は、取得コンテンツ情報の前記コンテンツ特定情報の数が最大数以下である取得コンテンツ情報を受け付ける。また、電池残量に対応づけられるコンテンツ特定情報の設定可能な最大数は、電池残量が少ないときに比べて電池残量が多いときの方が、多くなっている。これにより、ユーザは、コンテンツ特定情報の数が、予め設定された最大数以上の設定をすることがなくなる。その結果、電池残量が少なくなった時に不要なコンテンツを受信して、電池を消費することがなくなる。
【００１５】
また、請求項３に係る発明の表示端末では、請求項１又は２に記載の発明の効果に加え、取得コンテンツ情報記憶手段に記憶される取得コンテンツ情報は、コンテンツのデータをサーバより受信するための条件であるコンテンツ属性を、コンテンツ特定情報毎に備えている。そして、受信手段は、コンテンツ特定情報に対応したデータをコンテンツ属性の条件に基づいて、サーバより受信する。これにより、ユーザはコンテンツ属性にコンテンツのデータを受信する条件を設定することで、必要な状況でコンテンツのデータを受信することが可能となる。
【００１６】
また、請求項４に係る発明の表示端末では、請求項１乃至３のいずれかに記載の発明の効果に加え、コンテンツ特定情報取得手段は、受信日時になった場合、電池残量に応じてコンテンツ特定情報を取得することができる。そして、サーバからコンテンツ特定情報に対応するデータを受信する。これにより、予めユーザが設定した日時に自動的にサーバからコンテンツのデータを受信することができる。また、受信日時になる前までは、サーバよりコンテンツのデータを受信することがなくなるため、表示端末の電池を必要以上に使うことがなくなり、電池の消耗を防ぐことができる。
【００１７】
また、請求項５に係る発明の表示端末では、請求項１乃至４のいずれかに記載の発明の効果に加え、取得コンテンツ情報を記憶している取得コンテンツ情報記憶手段を表示端末が備えている。これにより、ネットワークが混み合っていたりして、サーバにアクセスできない状況であっても、取得コンテンツ情報を更新することができる。
【００１８】
また、請求項６に係る発明の表示端末では、請求項１乃至４のいずれかに記載の発明の効果に加え、第２送信手段により表示端末から端末識別情報と電池残量をサーバに送信することで、端末識別情報毎に取得コンテンツ情報が記憶された取得コンテンツ情報記憶手段を備えたサーバからデータを取得することができる。これにより、表示端末では、取得コンテンツ情報を記憶し、管理する必要がないため、記憶領域を他の機能に有効に利用することができる。
【００１９】
また、請求項７に係る発明のデータ更新システムでは、請求項１乃至４のいずれかに記載の表示端末と、表示端末に表示させるコンテンツのデータを記憶するサーバとから構成されたデータ更新システムである。また、サーバは、表示端末の第１送信手段により送信されたコンテンツ特定情報を受信するサーバ受信手段と、サーバ受信手段により受信したコンテンツ特定情報に対応したコンテンツのデータを表示端末に送信するサーバ送信手段を備えている。これにより、ユーザは、電池残量に基づいて設定されたコンテンツ特定情報で特定されるコンテンツのデータを受信することができる。ユーザは、電池残量が少なくなった場合に必要なコンテンツのデータだけを受信するように設定できるため、電池残量が少なくなった時に不要なコンテンツのデータを受信して、電池を消費することを防ぐことができる。
【００２０】
また、請求項８に係る発明の表示端末プログラムでは、請求項１乃至６のいずれかに記載の表示端末の各種処理手段として表示端末に内蔵されたコンピュータを機能させる。従って、表示端末に内蔵されたコンピュータにプログラムを実行させることにより、請求項１乃至６のいずれかに記載の発明の効果を奏することができる。
【発明を実施するための最良の形態】
【００２１】
以下、本発明を具現化した一実施形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２２】
まず、図１〜図６を参照して、本実施形態に係るデータ更新システム１の全体構成、ならびに、データ更新システム１の構成要素である表示端末１００、及びサーバ２００の構成について、順に説明する。図１は、表示端末１００及びサーバ２００の接続形態の一例を示す図である。また、また、図２は、サーバ２００の電気的構成を示すブロック図である。図３は、表示端末１００の電気的構成を示すブロック図である。また、図４は、表示端末１００のメモリカード１１０の構成を示す模式図である。また、図５は、設定テーブル１３００の構成を示す模式図である。また、図６は、送信テーブル１４００の構成を示す模式図である。
【００２３】
最初に、図１を参照して、データ更新システム１の全体構成の概略を説明する。図１に示すように、データ更新システム１は、表示端末１００、及びサーバ２００を含んでいる。サーバ２００は、例えば、周知のパーソナルコンピュータであり、汎用型の装置であり、表示端末１００で表示するコンテンツのデータ（以下、「コンテンツデータ」という。）等を管理する。表示端末１００は、例えば、携帯電話、ＰＤＡ等の持ち運び可能な装置である。そして、表示端末１００とサーバ２００とは、無線ＬＡＮ等の通信回線３を介してデータ通信が可能となっている。また、図１では、表示端末１００は１つしか図示されていないが、実際には、例えば、会社の各個人が所有することにより、表示端末１００は複数存在してもよい。
【００２４】
次に、図２のブロック図を参照して、サーバ２００の電気的構成について説明する。図２に示すように、サーバ２００は、サーバ２００の制御を司るＣＰＵ２０１を備えている。そして、このＣＰＵ２０１には、ＲＯＭ２０２、ＲＡＭ２０３、ハードディスクドライブ（ＨＤＤ）２０４、カウンタ２０５、通信制御部２０６、表示制御部２０７、入力制御部２０９、計時装置２１２、及び電源制御部２１３がバス２２０を介して接続されている。表示制御部２０７を介してディスプレイ２０８が接続され、入力制御部２０９を介してキーボード２１０及びマウス２１１が接続されている。電源制御部１１１は、サーバ２００の電源の入出力を行う電源スイッチ２１４に接続されている。
【００２５】
ＲＯＭ２０２は、サーバ２００を動作させるためのＢＩＯＳのプログラム等を記憶し、ＲＡＭ２０３は各種のデータを一時的に記憶する。ＨＤＤ２０４は、表示端末１００に送信する各種コンテンツデータ、サーバ２００で実行される各種のプログラム等を記憶する。通信制御部２０６は、表示端末１００に表示する各種コンテンツデータを、通信回線３を介して表示端末１００へ送信する制御を行う。表示制御部２０７は、操作画面を表示するためのディスプレイ２０８に接続され、このディスプレイ２０８の表示を制御する。また、入力制御部２０９は、ユーザが操作の入力を行うためのキーボード２１０やマウス２１１に接続され、これらの入力の検知を行う。計時装置２１２では、内部時計として時間が計時される。カウンタ２０５は、タイマ機能としての時間を計測する。
【００２６】
次に、図３のブロック図を参照して、表示端末１００の電気的構成について説明する。表示端末１００は一例として、ＰＤＡ、電子ブック、携帯電話等を用いることができる。図３に示すように、表示端末１００は、表示端末１００の制御を司るＣＰＵ１０１を備えている。そして、このＣＰＵ１０１には、ＲＯＭ１０２、ＲＡＭ１０３、カウンタ１０４、入力部１０５、表示制御部１０６、計時装置１０８、メモリカードＩ／Ｆ１０９、電源制御部１１１及び通信制御部１１４がバス１２０を介して接続されている。表示制御部１０６を介して表示部１０７に接続される。メモリカードＩ／Ｆ１０９を介して表示端末１００にメモリカード１１０が接続される。電源制御部１１１は、表示端末１００に装着される電池１１２、及び表示端末１００の電源の入出力を行う電源スイッチ１１３に接続されている。
【００２７】
ＲＯＭ１０２は、表示端末１００を動作させるためのプログラム等を記憶し、ＲＡＭ１０３は、送信テーブル１４００（図６参照）、及び各種変数等が一時的に記憶される。送信テーブル１４００については後述する。カウンタ１０４は、タイマ機能としての時間を計測する。入力部１０５は、ユーザによる入力を受け付けるボタンや十字キーからなり、表示制御部１０６は表示部１０７に表示される文字や画像、映像、又はこれらを組み合わせた情報であるコンテンツデータ等の表示を制御する。計時装置１０８では内部時計として時間が計時される。また、メモリカードＩ／Ｆ１０９により、表示端末１００にメモリカード１１０が接続される。そして、メモリカード１１０には、各種記憶領域が記憶される。これについては、後述する。また、電源制御部１１１は、表示端末１００に接続する電池１１２、及び電源の入出力を行う電源スイッチ１１３の制御を行う。通信制御部１１４は、表示端末１００の各種コンテンツのデータを管理しているサーバ２００に対しての通信を制御する。
【００２８】
次に、図４を参照して、メモリカード１１０の記憶エリアについて説明する。メモリカード１１０には、端末ＩＤ記憶エリア１１０１、設定テーブル記憶エリア１１０２、コンテンツデータ記憶エリア１１０３が設けられている。この端末ＩＤ記憶エリア１１０１には、表示端末１００を識別するＩＤ（以下、「端末ＩＤ」という。）が記憶される。また、設定テーブル記憶エリア１１０２には、設定テーブル１３００（図５参照）が記憶される。この設定テーブル１３００については後述する。また、コンテンツデータ記憶エリア１１０３には、表示端末１００の表示部１０７で表示されるコンテンツデータが記憶される。
【００２９】
次に、図５を参照して、メモリカード１１０の設定テーブル記憶エリア１１０２に記憶される設定テーブル１３００について説明する。この設定テーブル１３００は、ユーザにより設定されるテーブルである。そして、各電池残量に基づいてサーバ２００から受信する、更新されたコンテンツデータ（以下、「新着コンテンツデータ」という。）の項目を記憶したものである。なお、この設定テーブル１３００を記憶する処理に関しては後述する。
【００３０】
設定テーブル１３００には、表示端末１００の電池１１２の残量を示す電池残量が端末ＩＤに対応して設けられている。この電池残量は、「大」、「中」、「小」の３段階で表わされ、電池残量の最大量を１００％として、「小」は０％〜２９％を示し、「中」は３０％〜６９％を示し、「大」は７０％〜１００％の電池残量を示している。尚、電池残量の小数点第１位の値は、四捨五入される。また、各電池残量に対応して、サーバ２００から受信したい新着コンテンツデータを特定する項目（以下、「コンテンツ特定項目」という。）が設定可能になっている。ここでは、例えば、コンテンツ特定項目として、「ニュース（社会）」、「ニュース（経済）」、「ニュース（スポーツ）」、及び「メール」が設定可能になっている。
【００３１】
次に、図６を参照して、ＲＡＭ１０３に記憶される送信テーブル１４００について説明する。この送信テーブル１４００は、端末ＩＤ、電池残量、及びコンテンツ特定項目から構成されている。送信テーブル１４００は、表示端末１００の電池残量、及び設定テーブル１３００（図５参照）から作成され、表示端末１００からサーバ２００へ送信されるテーブルである。例えば、表示端末１００の電池残量が、３０％〜６９％の「中」であり、設定テーブル記憶エリア１１０２に記憶されている設定テーブル１３００が図５のようになっていれば、送信テーブル１４００のコンテンツ特定項目は、図６のように、「ニュース（社会）」及び「メール」が設定される。
【００３２】
次に、図７及び図８を参照して、表示端末１００の各処理について説明する。図７は、表示端末１００のメイン処理である。図８は、表示端末１００で実行されるコンテンツ受信処理のフローチャートである。なお、図７の表示端末１００のメイン処理は、表示端末１００の電源がＯＮ時に実行される処理である。
【００３３】
図７に示すように、表示端末１００のメイン処理が実行されると、通信指示を受け付けたか否かが判断される（Ｓ１１）。この通信指示は、新着コンテンツデータをサーバ２００から受信するための指示であり、ユーザから通信指示を受け付けたか否かで判断される。ユーザから通信指示が行われず、通信指示を受け付けていないと判断された場合（Ｓ１１：ＮＯ）、表示端末１００の電源がＯＦＦになったか否かが判断される（Ｓ２５）。これは、電源スイッチ１１３がＯＦＦにされ、電源制御部１１１でＯＦＦの信号を検出したか否かで判断される。電源がＯＦＦになっていないと判断された場合（Ｓ２５：ＮＯ）、Ｓ１１へ移行する。そして、通信指示を受け付けるか、表示端末１００の電源がＯＦＦになるまで、Ｓ１１：ＮＯ、Ｓ２５：ＮＯの処理を繰り返す。そして、電源がＯＦＦになった場合（Ｓ２５：ＹＥＳ）、表示端末１００のメイン処理を終了する。
【００３４】
ユーザから通信指示が行われ、通信指示を受け付けたと判断された場合（Ｓ１１：ＹＥＳ）、表示端末１００の設定画面３１０（図９参照）のメッセージ表示領域３４０にメッセージが表示されているか否かが判断される（Ｓ１２）。メッセージ表示領域３４０には、サーバ２００との通信の状態を示すメッセージが表示される領域である。設定画面３１０、及びメッセージ表示領域３４０についての詳細は後述する。メッセージ表示領域３４０にメッセージが表示されていない場合（Ｓ１２：ＮＯ）、表示端末１００の電池残量を取得する処理が行われる（Ｓ１４）。また、メッセージが表示されている場合（Ｓ１２：ＹＥＳ）、メッセージ表示領域３４０に表示されているメッセージを削除し（Ｓ１３）、Ｓ１４へ移行する。
【００３５】
次いで、送信テーブル１４００を作成する処理が行われる（Ｓ１５）。この送信テーブル１４００は、Ｓ１４で取得した電池残量、及びメモリカード１１０の設定テーブル記憶エリア１１０２に記憶されている設定テーブル１３００に基づいて作成される。そして、作成された送信テーブル１４００は、ＲＡＭ１０３に一時的に記憶される。例えば、表示端末１００の電池残量が３０％〜６９％の「中」であり、設定テーブル記憶エリア１１０２に記憶されている設定テーブル１３００が図５に示すように記憶されていれば、送信テーブル１４００のコンテンツ特定項目は図６に示すように、「ニュース（社会）」及び「メール」となる。また、送信テーブル１４００の端末ＩＤには、設定テーブル１３００の端末ＩＤが記憶される。
【００３６】
そして、Ｓ１５で作成された送信テーブル１４００がサーバ２００へ送信され（Ｓ１６）、カウントが開始される（Ｓ１７）。このカウント開始の処理は、タイマカウンタである第１カウンタを用いて行われる。この第１カウンタはＣＰＵ１０１に接続した計時装置１０８からの信号に基づいてカウントアップされる。また、Ｓ１５で作成された送信テーブル１４００の情報は、サーバ２００へ送信された直後にＲＡＭ１０３から削除される。
【００３７】
次いで、新着コンテンツ有り信号を受信したか否かの判断が行われる（Ｓ１８）。この新着コンテンツ有り信号は、サーバ２００から送信される信号であり、Ｓ１６で送信した送信テーブル１４００に記憶されたコンテンツ特定項目の新着コンテンツデータが、サーバ２００にある場合、サーバ２００から送信される信号である。新着コンテンツ有り信号を受信していないと判断された場合（Ｓ１８：ＮＯ）、新着コンテンツ無し信号を受信したか否かの判断が行われる（Ｓ２１）。この新着コンテンツ無し信号は、サーバ２００から送信される信号であり、Ｓ１６で送信した送信テーブル１４００に記憶されたコンテンツ特定項目の新着コンテンツデータがサーバ２００にない場合、サーバ２００から送信される信号である。新着コンテンツ無し信号を受信していないと判断された場合（Ｓ２１：ＮＯ）、第１カウンタにより計測された時間が２分を経過したか否かの判断が行われる（Ｓ２２）。第１カウンタにより計測が開始された直後は、第１カウンタは２分を経過していないため（Ｓ２２：ＮＯ）、Ｓ１８へ移行する。そして、サーバ２００から新着コンテンツ有り信号、又は新着コンテンツ無し信号を受信したか否かの判断処理が繰り返し行われる。
【００３８】
サーバ２００から新着コンテンツ有り信号を受信した場合（Ｓ１８：ＹＥＳ）、コンテンツ受信処理が行われる（Ｓ１９）。このコンテンツ受信処理についての詳細は後述する。そして、第１カウンタを停止し、カウント値を「０」に初期化する処理がおこなわれ（Ｓ２０）、Ｓ２５へ移行する。
【００３９】
また、サーバ２００から新着コンテンツ無し信号を受信した場合（Ｓ２１：ＹＥＳ）、送信テーブル１４００に記憶されたコンテンツ特定項目の新着コンテンツデータがサーバ２００にない旨のメッセージが設定画面３１０（図９参照）のメッセージ表示領域３４０に表示される（Ｓ２３）。ここでは、例えば、「新着コンテンツはありません」と表示される。そして、Ｓ２０へ移行する。
【００４０】
また、新着コンテンツ有り信号、又は新着コンテンツ無し信号を受信せず、第１カウンタにより計測された時間が２分を経過した場合（Ｓ２２：ＹＥＳ）、サーバ２００との通信ができなかった旨のメッセージが設定画面３１０（図９参照）のメッセージ表示領域３４０に表示される（Ｓ２４）。ここでは、例えば「通信できませんでした」と表示される。そして、Ｓ２０へ移行する。
【００４１】
次に、図８を参照して、コンテンツ受信処理について説明する。このコンテンツ受信処理が実行されると、サーバ２００に受信要請信号を送信する（Ｓ３１）。この受信要請信号は、サーバ２００から新着コンテンツデータの受信を開始する準備ができた旨を示す信号である。そして、カウントが開始される（Ｓ３２）。このカウント開始処理は、タイマカウンタである第２カウンタを用いて行われる。この第２カウンタは、ＣＰＵ１０１に接続した計時装置１０８からの信号に基づいてカウントアップされる。
【００４２】
次いで、新着コンテンツデータをサーバ２００から受信したか否かが判断される（Ｓ３３）。この新着コンテンツデータは、Ｓ１６（図７参照）で送信した送信テーブル１４００に記憶されたコンテンツ特定項目の新着コンテンツデータである。サーバ２００から新着コンテンツデータを受信していないと判断された場合は（Ｓ３３：ＮＯ）、第１カウンタのカウント値が１０分経過したか否かが判断される（Ｓ３６）。このカウント値はＳ１７（図７参照）で開始された第１カウンタのカウント値である。第１カウンタのカウント値が１０分経過していないと判断された場合は（Ｓ３６：ＮＯ）、第２カウンタのカウント値が５秒経過したか否かが判断される（Ｓ３７）。このカウント値はＳ３２で開始された第２カウンタのカウント値である。第２カウンタのカウント値が５秒経過していないと判断された場合（Ｓ３７：ＮＯ）、Ｓ３３へ移行する。そして、新着コンテンツデータをサーバ２００から受信するか、第１カウンタが１０分経過するか、又は第２カウンタが５秒経過するまでは、Ｓ３３：ＮＯ，Ｓ３６：ＮＯ，Ｓ３７：ＮＯの処理を繰り返し行う。
【００４３】
第２カウンタのカウント値が５秒経過した場合は（Ｓ３７：ＹＥＳ）、受信要請信号をサーバ２００に再度、送信する（Ｓ３８）。次いで、第２カウンタのカウントを停止し、カウント値を「０」に初期化する（Ｓ３９）。そして、Ｓ３２へ移行する。
【００４４】
第１カウンタのカウント値が１０分経過した場合は（Ｓ３６：ＹＥＳ）、第２カウンタのカウントを停止し、カウント値を「０」に初期化する（Ｓ４０）。そして、コンテンツ受信処理を終了する。つまり、新着コンテンツデータをサーバ２００から受信せずにコンテンツ受信処理を終了する。
【００４５】
新着コンテンツデータを受信した場合は（Ｓ３３：ＹＥＳ）、つまり、第１カウンタのカウント値が１０分経過する前に新着コンテンツデータを受信した場合は、受信した新着コンテンツデータが保存される（Ｓ３４）。この受信した新着コンテンツデータは、メモリカード１１０のコンテンツデータ記憶エリア１１０３に保存される。そして、新着コンテンツデータを受信した旨のメッセージが設定画面３１０（図９参照）のメッセージ表示領域３４０に表示される（Ｓ３５）。ここでは、例えば「受信完了」と表示される。次いで、第２カウンタのカウントを停止し、カウント値を「０」に初期化する（Ｓ４０）。そして、コンテンツ受信処理を終了する。
【００４６】
次に、図９〜図１３を参照して、表示端末１００で実行される設定テーブル１３００（図５参照）を登録する処理について説明する。図９は、設定画面３１０が表示された表示端末１００の一具体例を示す図である。図１０は、表示端末１００で実行される切替キー押下処理である。図１１は、表示端末１００で実行されるタブ選択処理のフローチャートである。図１２は、表示端末１００で実行されるコンテンツ選択処理のフローチャートである。図１３は、表示端末１００で実行される項目選択処理のフローチャートである。
【００４７】
図９を参照して、設定テーブル１３００（図５参照）を設定する設定画面３１０、及び入力部１０５について説明する。設定画面３１０は、設定テーブルを登録する際に、表示端末１００の表示部１０７に表示される画面である。ここで、図９において紙面上側を表示端末１００の「上側」、紙面下側を「下側」、紙面右側を「右側」、紙面左側を「左側」とする。
【００４８】
まず、図９を参照して、表示端末１００の表側の表示面３００の詳細について説明する。表示面３００には、表示部１０７、及び入力部１０５が設けられている。表示部１０７は、平面視長方形状に形成され、表示面３００の中央より左側寄りに設けられている。入力部１０５は、複数の操作キーから構成され、表示面３００の中央より右側寄りに設けられている。
【００４９】
次に、表示部１０７に表示される設定画面３１０の詳細について説明する。ここで、図９は、表示部１０７に設定画面３１０が表示された状態である。設定画面３１０は、電池残量タブ３２０，コンテンツ選択項目３３０，及びメッセージ表示領域３４０から構成されている。
【００５０】
まず、電池残量タブ３２０について説明する。電池残量タブ３２０は、設定画面３１０の上側に表示される。この電池残量タブ３２０は、表示端末１００の電池残量に対応しており、左側より電池残量が「大」、「中」、「小」となっている。電池残量タブ３２０は、操作キーにより、切り替が可能となっている。ここで、例えば、図９は、電池残量が「中」の電池残量タブ３２０が表示されている状態である。
【００５１】
次いで、コンテンツ選択項目３３０について説明する。コンテンツ選択項目３３０は、設定画面３１０の中央に表示される。コンテンツ選択項目３３０は、コンテンツ特定項目を選択するための選択欄である。また、コンテンツ選択項目３３０は、電池残量タブ３２０毎に選択することが可能であり、操作キーにより選択される。ここで、例えば、図９は、コンテンツ特定項目の「ニュース（社会）」及び「メール」が選択された状態である。
【００５２】
次いで、メッセージ表示領域３４０について説明する。メッセージ表示領域３４０は、設定画面３１０の下側に設けられている。メッセージ表示領域３４０には、サーバ２００との通信の状態を示すメッセージ、及びメッセージを表示した時刻が表示される。このメッセージ表示領域３４０は、各電池残量タブ３２０で共通の表示領域である。
【００５３】
次に、入力部１０５の詳細について説明する。入力部１０５は、完了キー３５１，切替キー３５２，送信キー３５３，決定キー３５４，上キー３５５，左キー３５６，下キー３５７，及び右キー３５８から構成されている。完了キー３５１が押されると、設定画面３１０で設定した情報が表示端末１００に保存される。切替キー３５２が押されると、表示部１０７に設定画面３１０が表示される。送信キー３５３が押されると、設定画面３１０で登録した情報がサーバ２００に送信される。決定キー３５４が押されると、設定画面３１０のコンテンツ選択項目３３０が選択又は解除される。上キー３５５，又は下キー３５７が押されると、設定画面３１０のコンテンツ選択項目３３０のフォーカスの位置を上下に移動することができる。左キー３５６，又は右キー３５８が押されると、設定画面３１０の電池残量タブ３２０の選択位置を左右に移動することができる。
【００５４】
次に、図１０を参照して、表示端末１００で実行される切替キー押下処理について説明する。なお、この処理は、表示端末１００の入力部１０５の切替キー３５２が押された際に実行される処理である。切替キー押下処理が実行されると、メモリカード１１０の設定テーブル記憶エリア１１０２に記憶されている設定テーブル１３００が読込まれる（Ｓ５１）。そして、Ｓ５１で読み込まれた設定テーブル１３００の各電池残量に対応するコンテンツ特定項目が、設定画面３１０のコンテンツ選択項目３３０に反映される（Ｓ５２）。例えば、図５に示す設定テーブル１３００が読込まれた場合、図９に示す設定画面３１０のように電池残量が「中」の電池残量タブ３２０において、「ニュース（社会）」及び「メール」のコンテンツ選択項目３３０が選択された状態となる。
【００５５】
次いで、ＲＡＭ１０３に一時的に記憶されている変数である、Ｎ値、Ｍ値が初期化される（Ｓ５３）。Ｎ値は、設定画面３１０のコンテンツ選択項目３３０の選択位置に対応した変数であり、一番上のコンテンツ選択項目３３０が「１」に対応し、下に移動するに従って「１」ずつ増加する。Ｍ値は、設定画面３１０の電池残量タブ３２０の選択位置に対応した変数であり、左端のタブが「０」、真ん中のタブが「１」、右端のタブが「２」に対応している。ここで、初期値としては、Ｎ値が「１」，Ｍ値が「０」である。
【００５６】
次いで、設定画面３１０の電池残量タブ３２０を選択状態にするタブ選択処理（図１１参照）が行われる（Ｓ５４）。このタブ選択処理の詳細についての説明は後述する。次いで、設定画面３１０の指定されたコンテンツ選択項目３３０にフォーカスを移動するコンテンツ選択処理が行われる（Ｓ５５）。このコンテンツ選択処理の詳細についての説明は後述する。
【００５７】
次いで、完了キー３５１が押された否かの判断が行われる（Ｓ５６）。完了キー３５１が押されたか否かの判断は、ＲＡＭ１０３に記憶されている完了キー設定フラグ（図示外）に基づいて判断される。この完了キー設定フラグは、ユーザが完了キー３５１を押した際に「１」に設定される。そして、完了キー３５１が押されたと判断された場合（Ｓ５６：ＹＥＳ）、完了キー設定フラグに「０」が設定される。次いで、ＲＡＭ１０３に一時的に記憶されている変数である、Ｎ値が初期化される（Ｓ５７）。ここで、Ｎ値は「１」に初期化される。
【００５８】
次いで、設定画面３１０において、電池残量タブ３２０毎に設定されたコンテンツ選択項目３３０の情報が取得される（Ｓ５８）。次いで、Ｓ５８で取得された情報が、メモリカード１１０のコンテンツデータ記憶エリア１１０３に記憶されている設定テーブル１３００に保存される（Ｓ５９）。そして、表示端末１００の電源がＯＦＦか否かが判断される（Ｓ６０）。この判断は、電源スイッチ１１３（図３参照）が押され、電源制御部１１１が電源のＯＦＦ信号を検出したか否かで判断される。電源がＯＦＦでないと判断された場合（Ｓ６０：ＮＯ）、つまり、電源制御部１１１が電源のＯＦＦ信号を検出なかった場合、Ｓ５４へ移行する。そして、電源制御部１１１が電源のＯＦＦ信号を検出するまで、Ｓ５４〜Ｓ６０の処理を繰り返す。電源がＯＦＦになったと判断された場合（Ｓ６０：ＹＥＳ）、切替キー押下処理が終了する。
【００５９】
また、完了キー３５１が押されていない場合（Ｓ５６：ＮＯ）、つまり、完了キー設定フラグに「０」が設定している場合、Ｓ６０へ移行し、表示端末１００の電源がＯＦＦか否かが判断される。
【００６０】
次に、図１１を参照して、表示端末１００で実行されるタブ選択処理について説明する。タブ選択処理が実行されると、右キー３５８が押されたか否かの判断が行われる（Ｓ７１）。右キー３５８が押されたか否かの判断は、ＲＡＭ１０３に記憶されている右キー設定フラグ（図示外）に基づいて判断される。この右キー設定フラグは、ユーザが右キー３５８を押した際に「１」に設定される。そして、Ｓ７１において右キー３５８が押されたと判断されると同時に、右キー設定フラグに「０」が設定される。
【００６１】
右キー３５８が押されたと判断された場合（Ｓ７１：ＹＥＳ）、つまり、右キー設定フラグに「１」が設定されていると判断された場合、Ｍ値が「２」以上か否かが判断される（Ｓ７２）。Ｍ値は、設定画面３１０の電池残量タブ３２０の選択位置に対応した変数であり、Ｍ値が「２」であれば右端のタブが選択されていることになる。Ｍ値が「２」以上である場合（Ｓ７２：ＹＥＳ）、Ｍ値に「０」が設定される（Ｓ７３）。つまり、左端のタブに対応する値が、Ｍ値に設定される。そして、設定画面３１０において、Ｍ値に対応する電池残量タブ３２０が選択状態になり（Ｓ７５）、タブ選択処理を終了する。また、Ｍ値が「２」以上でない場合（Ｓ７２：ＮＯ）、Ｍ値に「１」が加算される（Ｓ７３）。つまり、現在の電池残量タブ３２０が１つだけ右にずれた選択位置に対応するＭ値となる。例えば、現在の電池残量タブ３２０の選択位置が「中」であるとすれば、Ｓ７３の処理が行われると、電池残量タブ３２０の選択位置が「大」に対応したＭ値となる。
【００６２】
右キー３５８が押されていないと判断された場合（Ｓ７１：ＮＯ）、つまり、右キー設定フラグに「０」が設定されていると判断された場合、左キー３５６が押されたか否かの判断が行われる（Ｓ７６）。左キー３５６が押されたか否かの判断は、ＲＡＭ１０３に記憶されている左キー設定フラグ（図示外）に基づいて判断される。この左キー設定フラグは、ユーザが左キー３５６を押した際に「１」に設定される。そして、Ｓ７６において左キー３５６が押されたと判断されると同時に、左キー設定フラグに「０」が設定される。
【００６３】
左キー３５６が押されていないと判断された場合（Ｓ７６：ＮＯ）、つまり、左キー設定フラグに「０」が設定されていると判断された場合、Ｓ７５へ移行する。つまり、右キー３５８、及び左キー３５６が押されなかった場合、Ｍ値は変更されないため、設定画面３１０の電池残量タブ３２０の選択位置は変更されない。
【００６４】
左キー３５６が押されたと判断された場合（Ｓ７６：ＹＥＳ）、つまり、左キー設定フラグに「１」が設定されていると判断された場合、Ｍ値が「０」以下か否かが判断される（Ｓ７７）。Ｍ値は、設定画面３１０の電池残量タブ３２０の選択位置に対応した変数であり、Ｍ値が「０」であれば左端のタブが選択されていることになる。Ｍ値が「０」以下である場合（Ｓ７７：ＹＥＳ）、Ｍ値に「２」が設定される（Ｓ７８）。つまり、右端のタブに対応する値が、Ｍ値に設定される。そして、Ｓ７５へ移行する。また、Ｍ値が「０」以下でない場合（Ｓ７７：ＮＯ）、Ｍ値が「１」だけ減算される（Ｓ７９）。つまり、現在の電池残量タブ３２０が１つだけ左にずれた選択位置に対応するＭ値となる。例えば、現在の電池残量タブ３２０の選択位置が「中」であるとすれば、Ｓ７９の処理が行われると、電池残量タブ３２０の選択位置が「大」に対応したＭ値となる。そして、Ｓ７５へ移行する。
【００６５】
次に、図１２を参照して、表示端末１００で実行されるコンテンツ選択処理について説明する。コンテンツ選択処理が実行されると、設定画面３１０において、ＲＡＭ１０３に記憶されているＮ値に対応するコンテンツ選択項目３３０にフォーカスが当てられる。例えば、Ｎ値が「１」である場合、図９に示すように「ニュース（社会）」のコンテンツ選択項目３３０にフォーカスが当てられる。そして、コンテンツ選択項目３３０を選択する処理である項目選択処理が実行される（Ｓ８２）。この項目選択処理については、後述する。
【００６６】
そして、下キー３５７が押されたか否かが判断される（Ｓ８３）。下キー３５７が押されたか否かの判断は、ＲＡＭ１０３に記憶されている下キー設定フラグ（図示外）に基づいて判断される。この下キー設定フラグは、ユーザが下キー３５７を押した際に「１」に設定される。そして、Ｓ８３において下キー３５７が押されたと判断されると同時に、下キー設定フラグに「０」が設定される。
【００６７】
下キー３５７が押されたと判断された場合（Ｓ８３：ＹＥＳ）、つまり、下キー設定フラグに「１」が設定されていると判断された場合、ＲＡＭ１０３に記憶されているＮ値が「４」以上か否かが判断される（Ｓ８５）。つまり、フォーカスが当てられているコンテンツ選択項目３３０が、一番下の項目である「メール」か否かが判断される（図９参照）。Ｎ値が「４」以上であると判断された場合（Ｓ８５：ＹＥＳ）、Ｎ値に一番上の項目に対応した値である「１」が設定される（Ｓ８６）。そして、Ｓ８１へ移行する。また、Ｎ値が「４」以上でないと判断された場合（Ｓ８５：ＮＯ）、Ｍ値に「１」が加算される（Ｓ８７）。つまり、１つだけ下にずれた選択位置に対応するＮ値となる。そして、Ｓ８１に移行する。
【００６８】
また、下キー３５７が押されていない判断された場合（Ｓ８３：ＮＯ）、つまり、下キー設定フラグに「０」が設定されていると判断された場合、上キーが押されたか否かが判断される（Ｓ８４）。上キー３５５が押されたか否かの判断は、ＲＡＭ１０３に記憶されている上キー設定フラグ（図示外）に基づいて判断される。この上キー設定フラグは、ユーザが上キー３５５を押した際に「１」に設定される。そして、Ｓ８４において上キー３５５が押されたと判断されると同時に、上キー設定フラグに「０」が設定される。
【００６９】
上キー３５５が押されたと判断された場合（Ｓ８４：ＹＥＳ）、つまり、上キー設定フラグに「１」が設定されていると判断された場合、ＲＡＭ１０３に記憶されているＮ値が「０」以下か否かが判断される（Ｓ８８）。つまり、フォーカスが当てられているコンテンツ選択項目３３０が、一番上の項目である「ニュース（社会）」か否かが判断される（図９参照）。Ｎ値が「０」以下であると判断された場合（Ｓ８８：ＹＥＳ）、Ｎ値に一番下の項目に対応した値である「４」が設定される（Ｓ８９）。そして、Ｓ８１へ移行する。また、Ｎ値が「０」以下でないと判断された場合（Ｓ８８：ＮＯ）、Ｎ値が「１」だけ減算される（Ｓ９０）。つまり、１つだけ上にずれた選択位置に対応するＮ値となる。そして、Ｓ８１に移行する。
【００７０】
また、上キー３５５が押されていないと判断された場合（Ｓ８４：ＮＯ）、つまり、上キー設定フラグに「０」が設定されていると判断された場合、コンテンツ選択処理を終了する。
【００７１】
次に、図１３を参照して、表示端末１００で実行される項目選択処理について説明する。項目選択処理が実行されると、決定キー３５４が押されたか否かが判断される（Ｓ１０１）。決定キー３５４が押されたか否かの判断は、ＲＡＭ１０３に記憶されている決定キー設定フラグ（図示外）に基づいて判断される。この決定キー設定フラグは、ユーザが決定キー３５４を押した際に「１」に設定される。そして、Ｓ１０１において決定キー３５４が押されたと判断されると同時に、決定キー設定フラグに「０」が設定される。
【００７２】
決定キー３５４が押されていないと判断された場合（Ｓ１０１：ＮＯ）、つまり、決定キー設定フラグに「０」が設定されていると判断された場合、項目選択処理を終了する。
【００７３】
また、決定キー３５４が押されたと判断された場合（Ｓ１０１：ＹＥＳ）、つまり、決定キー設定フラグに「１」が設定されていると判断された場合、Ｎ値に対応したコンテンツ選択項目３３０が選択されているか否かが判断される（Ｓ１０２）。つまり、Ｎ値に対応したコンテンツ選択項目３３０の左端のチェックボックスが選択済みになっているか否かが判断される。ここで、例えば、図９において、Ｎ値が「１」に対応するコンテンツ選択項目３３０である「ニュース（社会）」、Ｎ値が「４」に対応するコンテンツ選択項目３３０である「メール」が選択済みの状態である。
【００７４】
Ｎ値に対応したコンテンツ選択項目３３０が選択されていないと判断された場合（Ｓ１０２：ＮＯ）、Ｎ値に対応したコンテンツ選択項目３３０が選択される（Ｓ１０３）。つまり、Ｎ値に対応したコンテンツ選択項目３３０の左端のチェックボックスが選択済みの状態となる。そして、項目選択処理を終了する。
【００７５】
また、Ｎ値に対応したコンテンツ選択項目３３０が選択されていると判断された場合（Ｓ１０２：ＹＥＳ）、Ｎ値に対応したコンテンツ選択項目３３０の選択が解除される（Ｓ１０４）。つまり、Ｎ値に対応したコンテンツ選択項目３３０の左端のチェックボックスが選択解除の状態となる。そして、項目選択処理を終了する。
【００７６】
次に、図１４を参照して、サーバ２００で実行される処理について説明する。図１４は、サーバ２００で実行されるメイン処理である。このメイン処理は、サーバ２００の電源がＯＮになった際に、開始される処理である。
【００７７】
サーバ２００でメイン処理が実行されると、表示端末１００から送信テーブル１４００（図６参照）を受信したか否かが判断される（Ｓ１１１）。なお、この送信テーブル１４００は、上述したように表示端末１００で作成され（図７：Ｓ１５）、送信される（図７：Ｓ１６）。送信テーブル１４００が表示端末１００から送信されず、送信テーブル１４００を受信していないと判断されると（Ｓ１１１：ＮＯ）、サーバ２００の電源がＯＦＦになったか否かが判断される（Ｓ１２０）。この判断処理は、電源スイッチ２１４がＯＦＦにされ、電源制御部２１３でＯＦＦの信号を検出したか否かで判断される。電源がＯＦＦになっていないと判断された場合（Ｓ１２０：ＮＯ）、Ｓ１１１へ移行する。そして、送信テーブル１４００を受信するか、サーバ２００の電源がＯＦＦになるまで、Ｓ１１１：ＮＯ、Ｓ１２０：ＮＯの処理を繰り返す。そして、電源がＯＦＦになった場合（Ｓ１２０：ＹＥＳ）、サーバ２００のメイン処理を終了する。
【００７８】
送信テーブル１４００が表示端末１００から送信され、送信テーブル１４００を受信したと判断されると（Ｓ１１１：ＹＥＳ）、サーバ２００のＨＤＤ２０４に新着コンテンツデータが記憶されているか否かが判断される（Ｓ１１２）。この新着コンテンツデータは、表示端末１００から送信された送信テーブル１４００が保持しているコンテンツ特定情報に対応した新着コンテンツデータである。サーバ２００のＨＤＤ２０４に新着コンテンツのデータが記憶されていないと判断された場合（Ｓ１１２：ＮＯ）、送信テーブル１４００を送信した表示端末１００に新着コンテンツ無し信号が送信される（Ｓ１１５）。そして、Ｓ１１１へ移行する。
【００７９】
また、サーバ２００のＨＤＤ２０４に新着コンテンツのデータが記憶されている場合（Ｓ１１２：ＹＥＳ）、送信テーブル１４００を送信した表示端末１００に新着コンテンツ有り信号が送信される（Ｓ１１３）。そして、カウントが開始される（Ｓ１１４）。このカウントの開始処理は、タイマカウンタである第３カウンタを用いて行われる。この第３カウンタはＣＰＵ２０１に接続した計時装置２１２からの信号に基づいてカウントアップされる。次いで、受信要請信号を受信したか否かが判断される（Ｓ１１６）。この受信要請信号は、コンテンツの新着コンテンツデータの受信を開始する準備ができた旨を示す信号であり、送信テーブル１４００を送信した表示端末１００から送信される（Ｓ３１，Ｓ３８：図８参照）。
【００８０】
送信テーブル１４００を送信した表示端末１００から受信要請信号が送信されず、受信要請信号を受信していないと判断された場合（Ｓ１１６：ＮＯ）、第３カウンタにより計測された時間が１０分を経過したか否かの判断が行われる（Ｓ１１８）。第３カウンタにより計測が開始された直後は、第３カウンタは１０分を経過していないため（Ｓ１１８：ＮＯ）、Ｓ１１６へ移行する。そして、送信テーブル１４００を送信した表示端末１００から受信要請信号を受信するか、第３カウンタが１０分を経過するまで、Ｓ１１６，Ｓ１１８の処理を繰り返す。
【００８１】
そして、送信テーブル１４００を送信した表示端末１００から受信要請信号を受信せず、第３カウンタが１０分を経過すると（Ｓ１１８：ＹＥＳ）、第３カウンタを停止し、第３カウンタが「０」に初期化する処理がおこなわれ（Ｓ１１９）、Ｓ１２０へ移行する。
【００８２】
また、送信テーブル１４００を送信した表示端末１００から受信要請信号が送信され、受信要請信号を受信したと判断された場合（Ｓ１１６：ＹＥＳ）、サーバ２００のＨＤＤ２０４から新着コンテンツデータが取得され。そして、送信テーブル１４００を送信した表示端末１００に送信される（Ｓ１１７）。
【００８３】
以上、説明したように、表示端末１００では、各電池残量に対応してコンテンツ特定項目を設定した設定テーブル１３００をメモリカード１１０のコンテンツデータ記憶エリア１１０３に記憶することができる。そして、表示端末１００の電池残量が取得され、取得された電池残量に対応したコンテンツ特定項目を備えた送信テーブル１４００が作成され、サーバ２００に送信される。ユーザは、コンテンツの新着コンテンツデータを記憶したサーバ２００から、コンテンツ特定項目に対応した新着コンテンツデータを受信することができる。ユーザは、電池残量が少なくなった場合に必要なコンテンツのデータだけを受信するように設定できるため、電池残量が少なくなった時に不要なコンテンツのデータを受信して、電池を消費することを防げる。
【００８４】
なお、上記実施の形態における表示端末１００の電池残量を取得する処理（図７：Ｓ１４）を行うＣＰＵ１０１が「電池残量取得手段」に該当する。設定テーブル１３００が「取得コンテンツ情報」に該当する。設定画面３１０から電池残量タブ３２０毎に設定されたコンテンツ選択項目３３０の情報を取得する処理（図１０：Ｓ５４〜Ｓ５８）を行うＣＰＵ１０１が「受付手段」に該当する。表示端末１００の電池残量、及びメモリカード１１０の設定テーブル記憶エリア１１０２に記憶されている設定テーブル１３００に基づいて送信テーブル１４００を作成する処理（図７：Ｓ１５）を行うＣＰＵ１０１が「コンテンツ特定情報取得手段」に該当する。メモリカード１１０のコンテンツデータ記憶エリア１１０３が「取得コンテンツ情報記憶手段」に該当する。メモリカード１１０のコンテンツデータ記憶エリア１１０３に記憶されている設定テーブル１３００に設定画面３１０の情報を保存する処理（図１０：Ｓ５９）を行うＣＰＵ１０１が「取得コンテンツ情報記憶制御手段」に該当する。
【００８５】
送信テーブル１４００をサーバ２００へ送信する処理（図７：Ｓ１６）を行うＣＰＵ１０１が「第１送信手段」に該当する。新着コンテンツデータを受信する処理（図８：Ｓ３３）を行うＣＰＵ１０１が「受信手段」に該当する。表示端末１００から送信テーブル１４００を受信する処理（図１４：Ｓ１１１）を行うＣＰＵ２０１が「サーバ受信手段」に相当する。新着コンテンツデータを表示端末１００に送信する処理（図１４：Ｓ１１７）を行うＣＰＵ２０１が「サーバ送信手段」に相当する。
【００８６】
尚、本発明の表示端末１００は、上述した実施の形態に限定されるものではなく、本発明の要旨を脱しない範囲内において種々変更を加え得ることは無論である。上述した実施の形態では、新着コンテンツデータをサーバ２００から受信するための指示である通信指示が、ユーザから行われることで、サーバ２００から新着コンテンツデータを受信するための処理を開始するが、これに限定されない。例えば、予め設定された設定時刻になると、サーバ２００から新着コンテンツデータを受信するための処理を開始するようにしてもよい。
【００８７】
次に、設定時刻になると、サーバ２００から新着コンテンツデータを受信するための処理を開始する第一変形例について説明する。図１５、及び図１６を参照して、第一変形例における、表示端末１００のメイン処理について説明する。図１５は、第一変形例の表示端末１００のメモリカード１１０の構成を示す模式図である。である。図１６は、第一変形例の表示端末１００のメイン処理である。
【００８８】
図１５に示すように、第一変形例の表示端末１００のメモリカード１１０には、設定時刻記憶エリア１１０４が設けられている。この設定時刻記憶エリア１１０４に記憶される設定時刻は、サーバ２００から新着コンテンツデータの受信を開始する為の時刻である。そして、予め、ユーザが設定しておく時刻である。なお、他の記憶エリアとして、端末ＩＤ記憶エリア１１０１，設定テーブル記憶エリア１１０２，及びコンテンツデータ記憶エリア１１０３が設けられているが、上述した実施の形態と同様のため、説明を省略する。
【００８９】
次に、図１６を参照して、第一変形例の表示端末１００のメイン処理について説明する。図１６に示すように、第一変形例の表示端末１００のメイン処理が実行されると、設定時刻を取得する処理が行われる（Ｓ１３１）。この設定時刻は、予め、表示端末１００のメモリカード１１０の設定時刻記憶エリア１１０４に記憶されている。
【００９０】
次いで、設定画面３１０（図９参照）のメッセージ表示領域３４０にメッセージが表示されているか否かが判断される（Ｓ１３２）。メッセージ表示領域３４０には、サーバ２００との通信の状態を示すメッセージが表示される。メッセージ表示領域３４０にメッセージが表示されている場合（Ｓ１３２：ＹＥＳ）、画面切替指示が入力されたか否かが判断される（Ｓ１３３）。この画面切替指示は、切替キー３５２が押されたか否かで判断される。切替キー３５２が押されたか否かの判断は、ＲＡＭ１０３に記憶されている完了キー設定フラグ（図示外）に基づいて判断される。この切替キー設定フラグは、ユーザが切替キー３５２を押した際に「１」に設定される。そして、切替キー３５２が押されたと判断された場合（Ｓ１３３：ＹＥＳ）、切替キー設定フラグに「０」が設定される。
【００９１】
画面切替指示が入力されたと判断された場合（Ｓ１３３：ＹＥＳ）、メッセージ表示領域３４０に表示されているメッセージを削除し（Ｓ１３４）、計時装置１０８で計時されている現在の時刻が、Ｓ１３１で取得した設定時刻を経過したか否かが判断される（Ｓ１３５）。また、画面切替指示が入力されていないと判断された場合（Ｓ１３３：ＮＯ）、メッセージをメッセージ表示領域３４０に表示された状態を保ったまま、Ｓ１３５へ移行する。
【００９２】
計時装置１０８で計時されている現在の時刻が、Ｓ１３１で取得した設定時刻を経過していない場合（Ｓ１３５：ＮＯ）、表示端末１００の電源がＯＦＦになったか否かが判断される（Ｓ１４９）。これは、電源スイッチ１１３がＯＦＦにされ、電源制御部１１１でＯＦＦの信号を検出したか否かで判断される。電源がＯＦＦになっていないと判断された場合（Ｓ１４９：ＮＯ）、Ｓ１３２へ移行する。そして、設定時刻になるか、表示端末１００の電源がＯＦＦになるまで、Ｓ１３２〜Ｓ１３５、Ｓ１４９の処理を繰り返す。また、電源がＯＦＦになった場合（Ｓ１４９：ＹＥＳ）、表示端末１００のメイン処理を終了する。
【００９３】
計時装置１０８で計時されている現在の時刻が、Ｓ１３１で取得した設定時刻を経過したと判断された場合（Ｓ１３５：ＹＥＳ）、表示端末１００の電池残量を取得する処理が行われる（Ｓ１３６）。ここで、Ｓ１３６〜Ｓ１４４は、上述した本実施の形態のＳ１４〜Ｓ２２（図７参照）と同様の処理のため説明を省略する。
【００９４】
ここで、新着無し信号を受信すると（Ｓ１４３：ＹＥＳ）、設定画面３１０（図９参照）のメッセージ表示領域３４０にサーバ２００から新着コンテンツデータを受信した旨を示すメッセージが表示されているか否かが判断される（Ｓ１４５）。ここでは、例えば、「受信完了」と表示されているか否かが判断される。メッセージ表示領域３４０にサーバ２００から新着コンテンツデータを受信した旨を示すメッセージが表示されていないと判断された場合（Ｓ１４５：ＮＯ）、送信テーブル１４００に記憶されたコンテンツ特定項目の新着コンテンツデータがサーバ２００にない旨のメッセージがメッセージ表示領域３４０に表示される（Ｓ１４６）。ここでは、例えば、「新着コンテンツはありません」と表示される。そして、Ｓ１４２へ移行する。また、メッセージ表示領域３４０にサーバ２００から新着コンテンツデータを受信した旨を示すメッセージが表示されていると判断された場合（Ｓ１４５：ＹＥＳ）、Ｓ１４２へ移行する。
【００９５】
また、新着コンテンツ有り信号、又は新着コンテンツ無し信号をともに受信せず、第１カウンタにより計測された時間が２分を経過した場合（Ｓ１４４：ＹＥＳ）、設定画面３１０（図９参照）のメッセージ表示領域３４０にサーバ２００から新着コンテンツデータを受信した旨を示すメッセージが表示されているか否かが判断される（Ｓ１４７）。ここでは、例えば、「受信完了」と表示されているか否かが判断される。メッセージ表示領域３４０にサーバ２００から新着コンテンツデータを受信した旨を示すメッセージが表示されていないと判断された場合（Ｓ１４７：ＮＯ）、サーバ２００との通信ができなかった旨のメッセージが設定画面３１０（図９参照）のメッセージ表示領域３４０に表示される（Ｓ１４８）。ここでは、例えば「通信できませんでした」と表示される。そして、Ｓ１４２へ移行する。メッセージ表示領域３４０にサーバ２００との通信ができなかった旨を示すメッセージが表示されていると判断された場合（Ｓ１４７：ＹＥＳ）、Ｓ１４２へ移行する。
【００９６】
以上、説明したように、第一変形例の表示端末１００では、予めメモリカード１１０の設定時刻記憶エリア１１０４に記憶された設定時刻を取得する。そして、設定時刻になった場合、電池残量を取得し、サーバからコンテンツ特定情報に対応するデータを受信する。これにより、予めユーザが設定した時刻に自動的にサーバ２００からコンテンツのデータを受信することができる。また、受信時刻になる前までは、サーバ２００よりコンテンツのデータを受信することがなくなるため、表示端末の電池を必要以上に使うことがなくなり、電池の消耗を防ぐことができる。
【００９７】
なお、上述した第一変形例における設定時刻が「受信日時」に該当し、メモリカード１１０の設定時刻記憶エリア１１０４が「受信日時記憶手段」に該当する。設定時刻を取得する処理（図１６：Ｓ１３１）を行うＣＰＵ１０１が「受信日時取得手段」に該当する。計時装置１０８で計時されている現在の時刻が、設定時刻を経過したか否かを判断する処理（図１６：Ｓ１３５）を行うＣＰＵ１０１が「受信日時判断手段」に該当する。
【００９８】
また、上述した実施の形態では、表示端末１００のメモリカード１１０に設定テーブル記憶エリア１１０２を設け、設定テーブル１３００を記憶させているが、これに限定されない。例えば、サーバ２００のＨＤＤ２０４に設定テーブル１５００を記憶させ、サーバ２００から表示端末１００に対して、コンテンツ特定項目の新着コンテンツデータがある旨を通知してもよい。
【００９９】
次に、図１７〜図２０を参照して、サーバ２００のＨＤＤ２０４に設定テーブル１５００を記憶した第二変形例について説明する。図１７は、第二変形例のサーバ２００のＨＤＤ２０４の構成を示す模式図である。図１８は、第二変形例の設定テーブル１５００の構成を示す模式図である。図１９は、第二変形例の表示端末１００のメイン処理である。図２０は、第二変形例のサーバ２００のメイン処理である。なお、第二変形例の表示端末１００、サーバ２００の電気的構成は、上述した実施の形態の表示端末１００、サーバ２００の電気的構成と同様のため説明を省略する。
【０１００】
図１７を参照して、サーバ２００のＨＤＤ２０４の各種記憶エリアについて説明する。ＨＤＤ２０４には、設定テーブル記憶エリア２００１、コンテンツデータ記憶エリア２００２、プログラム記憶エリア２００３、プログラム関係情報記憶エリア２００４等の各種記憶エリアが設けられている。
【０１０１】
設定テーブル記憶エリア２００１には、サーバ２００から表示端末１００に送信するコンテンツを特定するコンテンツ特定情報を備えた設定テーブル１５００（図１８参照）が記憶される。コンテンツデータ記憶エリア２００２には、コンテンツのデータが記憶される。プログラム記憶エリア２００３には、サーバ２００で実行される各種のプログラムが記憶される。プログラム関係情報記憶エリア２００４には、プログラムの実行に必要な設定や初期値、データ等の情報が記憶される。
【０１０２】
次に、図１８を参照して、設定テーブル１５００について説明する。設定テーブル１３００には、表示端末１００の電池１１２の残量を示す電池残量が端末ＩＤに対応して設けられている。この電池残量は、「大」、「中」、「小」の３段階で表わされ、電池残量の最大を１００％として、「小」は０％〜２９％を示し、「中」は３０％〜６９％を示し、「大」は７０％〜１００％を示している。また、各電池残量に対応して、コンテンツ特定情報が設定可能になっている。尚、電池残量の小数点第１位の値は、四捨五入される。
【０１０３】
次に、図１９を参照して、第二変形例の表示端末１００のメイン処理について説明する。なお、第二変形例の表示端末１００のメイン処理は、表示端末１００の電源がＯＮ時に実行される処理である。
【０１０４】
図１９に示すように、第二変形例の表示端末１００のメイン処理が実行されると、設定画面３１０（図９参照）のメッセージ表示領域３４０にメッセージが表示されているか否かが判断される（Ｓ１９１）。メッセージ表示領域３４０には、サーバ２００との通信の状態を示すメッセージが表示される。メッセージ表示領域３４０にメッセージが表示されていない場合（Ｓ１９１：ＮＯ）、新着コンテンツ有り信号を受信したか否かの判断が行われる（Ｓ１９４）。この新着コンテンツ有り信号は、サーバ２００から送信される信号であり、コンテンツ特定項目に対応した新着コンテンツデータがサーバ２００にある場合、サーバ２００から送信される信号である。
【０１０５】
また、メッセージ表示領域３４０にメッセージが表示されている場合（Ｓ１９１：ＹＥＳ）、画面切替指示が入力されたか否かが判断される（Ｓ１９２）。この画面切替指示は、切替キー３５２が押されたか否かで判断される。切替キー３５２が押されたか否かの判断は、ＲＡＭ１０３に記憶されている切替キー設定フラグ（図示外）に基づいて判断される。この切替キー設定フラグは、ユーザが切替キー３５２を押した際に「１」に設定される。そして、切替キー３５２が押されたと判断された場合（Ｓ１９１：ＹＥＳ）、切替キー設定フラグに「０」が設定される。
【０１０６】
画面切替指示が入力されたと判断された場合（Ｓ１９２：ＹＥＳ）、メッセージ表示領域３４０に表示されているメッセージを削除し（Ｓ１９３）、Ｓ１９４へ移行する。また、画面切替指示が入力されていないと判断された場合（Ｓ１９２：ＮＯ）、メッセージをメッセージ表示領域３４０に表示された状態を保ったまま、Ｓ１９４へ移行する。
【０１０７】
サーバ２００から新着コンテンツ有り信号を受信していない場合（Ｓ１９４：ＮＯ）、表示端末１００の電源がＯＦＦになったか否かが判断される（Ｓ２０４）。これは、電源スイッチ１１３がＯＦＦにされ、電源制御部１１１でＯＦＦの信号を検出したか否かで判断される。電源がＯＦＦになっていないと判断された場合（Ｓ２０４：ＮＯ）、Ｓ１９１へ移行する。そして、新着コンテンツ有り信号を受信するか、表示端末１００の電源がＯＦＦになるまで、Ｓ１９１〜Ｓ１９４、Ｓ２０４の処理を繰り返す。そして、電源がＯＦＦになった場合（Ｓ２０４：ＹＥＳ）、表示端末１００のメイン処理を終了する。
【０１０８】
サーバ２００から新着コンテンツ有り信号を受信した場合（Ｓ１９４：ＹＥＳ）、つまり、コンテンツ特定項目の新着コンテンツデータがサーバ２００にあると判断された場合、表示端末１００の電池残量を取得する処理が行われる（Ｓ１９５）。
【０１０９】
次いで、Ｓ１９５で取得された電池残量、及び端末ＩＤがサーバ２００に送信さる（Ｓ１９６）。この端末ＩＤは、メモリカード１１０の端末ＩＤ記憶エリア１１０１に記憶されている。そして、カウントが開始される（Ｓ１９７）。このカウント開始の処理は、タイマカウンタである第４カウンタを用いて行われる。この第４カウンタはＣＰＵ１０１に接続した計時装置１０８からの信号に基づいてカウントアップされる。
【０１１０】
そして、送信可能信号を受信したか否かの判断が行われる（Ｓ１９８）。この送信可能信号は、サーバ２００から送信される信号であり、通信を行っている表示端末１００に、サーバ２００から新着コンテンツデータを送信可能である旨を示す信号である。サーバ２００から送信可能信号を受信していない場合（Ｓ１９８：ＮＯ）、第４カウンタにより計測された時間が１０分を経過したか否かの判断が行われる（Ｓ１９９）。第４カウンタにより計測が開始された直後は、第４カウンタは１０分を経過していないため（Ｓ１９９：ＮＯ）、Ｓ１９８へ移行する。そして、サーバ２００から送信可能信号を受信したか否かの判断処理が繰り返し行われる。
【０１１１】
サーバ２００から送信可能信号を受信せず、第４カウンタにより計測された時間が１０分を経過した場合（Ｓ１９９：ＹＥＳ）、次いで、第４カウンタのカウントを停止し、カウント値を「０」に初期化する（Ｓ２００）。そして、サーバ２００から新着コンテンツデータを受信せず、Ｓ２０４へ移行する。
【０１１２】
また、サーバ２００から送信可能信号を受信した場合（Ｓ１９８：ＹＥＳ）、カウントが開始される（Ｓ２０１）。このカウント開始の処理は、タイマカウンタである第１カウンタを用いて行われる。この第１カウンタはＣＰＵ１０１に接続した計時装置１０８からの信号に基づいてカウントアップされる。次いで、上述したコンテンツ受信処理（図８参照）が行われる（Ｓ２０２）。そして、第４カウンタを停止し、カウント値を「０」に初期化する処理が行われ（Ｓ２０３）、Ｓ２０４へ移行する。
【０１１３】
次に、図２０を参照して、第二変形例のサーバ２００のメイン処理について説明する。なお、第二変形例のサーバ２００のメイン処理は、サーバ２００の電源がＯＮ時に実行される処理である。
【０１１４】
サーバ２００でメイン処理が実行されると、設定テーブル１５００のコンテンツ特定項目に対応する新着コンテンツデータがサーバ２００に記憶されているか否かが判断される（Ｓ２１１）。図１９の設定テーブル１５００において、例えば、コンテンツ特定項目が「ニュース（社会）」、「ニュース（経済）」、「ニュース（スポーツ）」、又は「メール」の新着コンテンツデータがあるか否かが判断される。
【０１１５】
新着コンテンツデータがサーバ２００に記憶されていないと判断された場合（Ｓ２１１：ＮＯ）、サーバ２００の電源がＯＦＦになったか否かが判断される（Ｓ２２２）。これは、電源スイッチ２１４がＯＦＦにされ、電源制御部２１３でＯＦＦの信号を検出したか否かで判断される。電源がＯＦＦになっていないと判断された場合（Ｓ２２２：ＮＯ）、Ｓ２１１へ移行する。そして、新着コンテンツデータが記憶されるか、サーバ２００の電源がＯＦＦになるまで、Ｓ２１１：ＮＯ、Ｓ２２２：ＮＯの処理を繰り返す。そして、電源がＯＦＦになった場合（Ｓ２２２：ＹＥＳ）、表示端末１００のメイン処理を終了する。
【０１１６】
また、新着コンテンツデータがサーバ２００に記憶されたと判断された場合（Ｓ２１１：ＹＥＳ）、設定テーブル１５００に、新着コンテンツデータを特定するコンテンツ特定項目が設定された表示端末１００に対して新着コンテンツ有り信号を送信する（Ｓ２１２）。例えば、図９において、コンテンツ特定項目が「ニュース（社会）」で特定される新着コンテンツデータが、サーバ２００のコンテンツデータ記憶エリア２００２に記憶されたとすると、端末ＩＤが「０００１」及び「０００２」で特定される表示端末１００に対して、新着コンテンツ有り信号が送信される。なお、このＳ２１２で送信された新着コンテンツ有り信号は、図１９のＳ１９４で受信される。
【０１１７】
次いで、カウントが開始される（Ｓ２１３）。このカウント開始の処理は、タイマカウンタである第５カウンタを用いて行われる。この第５カウンタはＣＰＵ２０１に接続した計時装置２１２からの信号に基づいてカウントアップされる。そして、端末ＩＤ，及び電池残量を受信したか否かの判断が行われる（Ｓ２１４）。この端末ＩＤ，及び電池残量は、表示端末１００から送信される（図１９：Ｓ１９６参照）。以下、端末ＩＤ，及び電池残量を送信した表示端末１００を「送信端末」という。
【０１１８】
端末ＩＤ，及び電池残量を受信していない場合（Ｓ２１４：ＮＯ）、第５カウンタにより計測された時間が１０分を経過したか否かの判断が行われる（Ｓ２１５）。第４カウンタにより計測が開始された直後は、第５カウンタは１０分を経過していないため（Ｓ２１５：ＮＯ）、Ｓ２１４へ移行する。そして、表示端末１００から端末ＩＤ，及び電池残量を受信したか否かの判断処理が繰り返し行われる。
【０１１９】
サーバ２００から送信可能信号を受信せず、第５カウンタにより計測された時間が１０分を経過した場合（Ｓ２１５：ＹＥＳ）、次いで、第５カウンタのカウントを停止し、カウント値を「０」に初期化する（Ｓ２２１）。そして、表示端末１００から端末ＩＤ，及び電池残量を受信せず、Ｓ２２２へ移行する。
【０１２０】
また、送信端末から端末ＩＤ，及び電池残量を受信した場合（Ｓ２１４：ＹＥＳ）、ＨＤＤ２０４の設定テーブル記憶エリア２００１に記憶されている設定テーブル１５００に基づいて新着コンテンツデータが、送信可能か否かが判断される（Ｓ２１６）。つまり、送信端末に対して、Ｓ２１４で受信した電池残量に対応したコンテンツ特定項目に対応する新着コンテンツデータが、サーバ２００に記憶されているか否かが判断される。例えば、図１８に示す設定テーブル１５００では、Ｓ２１４で受信した端末ＩＤが「０００１」、電池残量が「中」とすると、コンテンツ特定項目が「ニュース（社会）」、及び「メール」の新着コンテンツデータは、送信可能となる。また、コンテンツ特定項目が「ニュース（経済）」、及び「ニュース（スポーツ）」の新着コンテンツデータは、送信不可能となる。
【０１２１】
新着コンテンツデータが、送信端末に対して送信可能でないと判断されると（Ｓ２１６：ＮＯ）、Ｓ２２１へ移行する。また、新着コンテンツデータが、送信端末に対して送信可能であると判断されると（Ｓ２１６：ＹＥＳ）、送信可能信号を送信端末に対して送信する（Ｓ２１７）。この送信可能信号は、送信端末に対して新着コンテンツデータを送信可能である旨を示す信号である。そして、受信要請信号を受信したか否かの判断が行われる（Ｓ２１８）。この受信要請信号は、コンテンツの新着コンテンツデータの受信を開始する準備ができた旨を示す信号であり、送信端末から送信される（図８：Ｓ３１，Ｓ３８参照）。
【０１２２】
受信要請信号を受信していないと判断された場合（Ｓ２１８：ＮＯ）、第５カウンタのカウント値が２０分経過したか否かが判断される（Ｓ２１９）。このカウント値はＳ２１３で開始された第５カウンタのカウント値である。第５カウンタのカウント値が２０分経過していないと判断された場合（Ｓ２１９：ＮＯ）、Ｓ２１８へ移行する。そして、受信要請信号を送信端末から受信するか、第５カウンタのカウント値が２０分経過するまでは、Ｓ２１８：ＮＯ，Ｓ２１９：ＮＯの処理を繰り返し行う。また、第５カウンタのカウント値が２０分経過した場合（Ｓ２１９：ＹＥＳ）、Ｓ２２１へ移行する。
【０１２３】
また、第５カウンタのカウント値が２０分経過せず、受信要請信号を送信端末から受信した場合（Ｓ２１８：ＹＥＳ）、ＨＤＤ２０４のコンテンツデータ記憶エリア２００２に記憶されている送信可能な新着コンテンツデータを送信端末に対して送信する（Ｓ２２０）。そして、Ｓ２２１へ移行する。
【０１２４】
以上、説明したように、第二変形例のサーバ２００では、予めＨＤＤ２０４の設定テーブル記憶エリア２００１に、設定テーブル１５００が記憶されている。そして、サーバ２００に新着コンテンツデータが記憶された際、記憶された新着コンテンツデータを受信する可能性のある表示端末１００に対して、新着コンテンツ有り信号が送信される。そして、新着コンテンツ有り信号を受信した表示端末１００は、電池残量と端末ＩＤとをサーバ２００に対して送信する。サーバ２００に記憶された新着コンテンツデータが、送信した電池残量に対応したコンテンツ特定項目と一致する場合、表示端末１００は新着コンテンツデータをサーバ２００から受信する。これにより、表示端末１００は、設定テーブル１３００を管理する必要がなくなり、表示端末１００からサーバ２００に対して電池残量、及び端末ＩＤを送信するだけでよくなる。その結果、表示端末１００の記憶領域を他の機能に有効に利用することができる。
【０１２５】
なお、上述した第二変形例における設定テーブル１５００の端末ＩＤが「端末識別情報」に相当する。電池残量、及び端末ＩＤをサーバ２００に送信する処理（図１９：Ｓ１９６）を行うＣＰＵ１０１が「第２送信手段」に相当する。
【０１２６】
また、上述した実施の形態では、表示端末１００の設定画面３１０（図９参照）で選択できるコンテンツ選択項目３３０は、電池残量に関係なく選択可能であるが、電池残量に応じて選択できるコンテンツ選択項目３３０の数を制限してもよい。例えば、図９の表示端末１００の設定画面３１０で、電池残量が「大」の場合、選択できるコンテンツ選択項目３３０の数を「３」とし、電池残量が「中」の場合、選択できるコンテンツ選択項目３３０の数を「２」とし、電池残量が「小」の場合、選択できるコンテンツ選択項目３３０の数を「１」としてもよい。
【０１２７】
図２１を参照して、電池残量に応じて選択できるコンテンツ選択項目３３０の数を制限する処理について説明する。図２１は、第三変形例の項目選択処理のフローチャートである。なお、第三変形例の表示端末１００、サーバ２００の電気的構成は、上述した実施の形態の表示端末１００、サーバ２００の電気的構成と同様のため説明を省略する。
【０１２８】
ここで、第三変形例では、ＲＡＭ１０３に設定変数Ａ，Ｂ，Ｃ，及びＤが記憶されるものとする。ここで、Ａは、電池残量が「中」の時のコンテンツ選択項目３３０の選択位置を保持する変数であり、２つの選択位置を保持できる。それぞれをＡ（１），及びＡ（２）に記憶するものとする。また、Ｃは、電池残量が「大」の時のコンテンツ選択項目３３０の選択位置を保持する変数であり、３つの選択位置を保持できる。それぞれをＣ（１），Ｃ（２），及びＣ（３）に記憶するものとする。また、Ｂは、Ａ（１），及びＡ（２）に選択位置を設定する際の仮の変数である。また、Ｄは、Ｃ（１），Ｃ（２），及びＣ（３）に選択位置を設定する際の仮の変数である。
【０１２９】
また、上述した実施の形態で、図１０のＳ５３，及びＳ５７で初期化される際、設定変数であるＡ，Ｂ，Ｃ，及びＤも初期化される。その際、設定変数Ａ（１），Ａ（２），Ｃ（１），Ｃ（２），Ｃ（３）は、「０」に初期化され、設定変数Ｂ，Ｄは「１」に初期化されるものとする。
【０１３０】
次に、図２１を参照して、第三変形例の項目選択処理について説明する。表示端末１００で項目選択処理が実行されると、決定キー３５４が押されたか否かが判断される（Ｓ２７０）。決定キー３５４が押されたか否かの判断は、ＲＡＭ１０３に記憶されている決定キー設定フラグ（図示外）に基づいて判断される。この決定キー設定フラグは、ユーザが決定キー３５４を押した際に「１」に設定される。そして、Ｓ１０１において決定キー３５４が押されたと判断されると同時に、決定キー設定フラグに「０」が設定される。
【０１３１】
決定キー３５４が押されていないと判断された場合（Ｓ２７０：ＮＯ）、つまり、決定キー設定フラグに「０」が設定されていると判断された場合、項目選択処理を終了する。
【０１３２】
また、決定キー３５４が押されたと判断された場合（Ｓ２７０：ＹＥＳ）、つまり、決定キー設定フラグに「１」が設定されていると判断された場合、コンテンツ選択項目の最大数が取得される（Ｓ２７１）。この最大数は、各電池残量に対応してコンテンツ選択項目の選択できる最大の数であり、予め、ＲＯＭ２０２のプログラムに記憶されている。ここで、第三変形例では、例えば、電池残量が「小」では、最大数が「１」として取得し、電池量が「中」では、最大数は「２」として取得し、電池量が「大」では、最大数は「３」として取得する。
【０１３３】
次いで、ＲＡＭ１０３に記憶されているＭ値が「２」か否かが判断される（Ｓ２７２）。つまり、設定画面３１０の電池残量タブ３２０の選択位置が一番右側である、電池残量が「小」か否が判断される。Ｍ値が「２」である場合（Ｓ２７２：ＹＥＳ）、ＲＡＭ１０３に記憶されているＮ値に対応するコンテンツ選択項目３３０が選択状態となる（Ｓ２７３）。そして、現在選択されている状態が、設定テーブル１３００に記憶され（Ｓ２８８）、項目選択処理を終了する。
【０１３４】
Ｍ値が「２」でない場合（Ｓ２７２：ＮＯ）、ＲＡＭ１０３に記憶されているＭ値が「１」か否かが判断される（Ｓ２７４）。つまり、設定画面３１０の電池残量タブ３２０の選択位置が真中である電池残量が、「中」か否が判断される。Ｍ値が「１」である場合（Ｓ２７４：ＹＥＳ）、ＲＡＭ１０３に記憶されているＢの値が、「３」以上か否かが判断される（Ｓ２７５）。最初に項目選択処理が実行された際は、Ｂの値は、初期値の「１」であるため、Ｂの値が、「３」以上でないと判断される（Ｓ２７５：ＮＯ）。そして、Ａ（Ｂ）にＮ値が記憶される（Ｓ２７６）。つまり、Ａ（１）に現在、選択されているコンテンツ選択項目３３０を示しているＮ値が記憶される。次いで、Ｂの値を１つ増加させ（Ｓ２７７）、Ａ（１），Ａ（２）に記憶されているＮ値に対応したコンテンツ選択項目３３０が選択状態となる（Ｓ２８０）。また、Ｂの値が「２」の時に、Ｓ２７５の処理が実行された際は、Ｓ２７９で、Ａ（１）及びＡ（２）にＮ値が記憶された状態となり、設定画面３１０の電池残量が「中」において、コンテンツ選択項目３３０が２つ選択された状態となる。そして、現在選択されている状態が、設定テーブル１３００に記憶され（Ｓ２８８）、項目選択処理を終了する。
【０１３５】
また、Ｂの値が、「３」以上であると判断された場合（Ｓ２７５：ＹＥＳ）、Ａ（１）に、現在選択されているコンテンツ選択項目３３０を示しているＮ値が記憶される（Ｓ２７８）。次いで、Ｂの値に「２」が記憶され（Ｓ２７９）、Ａ（１），Ａ（２）に記憶されているＮ値に対応したコンテンツ選択項目３３０が選択状態となる（Ｓ２８０）。つまり、設定画面３１０の電池残量タブ３２０が「中」の状態で、３つ目のコンテンツ選択項目３３０が選択された際は、１回目に選択されたコンテンツ選択項目３３０が削除される。
【０１３６】
また、Ｍ値が「１」でない場合（Ｓ２７４：ＮＯ）、ＲＡＭ１０３に記憶されているＭ値が「０」か否かが判断される（Ｓ２８１）。つまり、設定画面３１０の電池残量タブ３２０の選択位置が左端である電池残量が、「大」か否が判断される。Ｍ値が「０」でない場合（Ｓ２８１：ＮＯ）、Ｓ２７０へ戻る。
【０１３７】
Ｍ値が「０」である場合（Ｓ２８１：ＹＥＳ）、ＲＡＭ１０３に記憶されているＤの値が、「４」以上か否かが判断される（Ｓ２８２）。最初に項目選択処理が実行された際は、Ｄの値は、初期値の「１」であるため、Ｄの値が、「４」以上でないと判断される（Ｓ２８２：ＮＯ）。そして、Ｃ（Ｄ）にＮ値が記憶される（Ｓ２８３）。つまり、Ｃ（１）に現在、選択されているコンテンツ選択項目３３０を示しているＮ値が記憶される。次いで、Ｄの値を１つ増加させ（Ｓ２８４）、Ｃ（１），Ｃ（２），及びＣ（３）に記憶されているＮ値に対応したコンテンツ選択項目３３０が選択状態となる（Ｓ２８５）。また、Ｄの値が「３」の時に、Ｓ２８２の処理がそれぞれ実行された際は、Ｓ２８３で、Ｃ（１），Ｃ（２），Ｃ（３）にＮ値が記憶された状態となっており、設定画面３１０の電池残量が「大」において、コンテンツ選択項目３３０が３つ選択された状態となる。そして、現在選択されている状態が、設定テーブル１３００に記憶され（Ｓ２８８）、項目選択処理を終了する。
【０１３８】
また、Ｄの値が、「４」以上であると判断された場合（Ｓ２８２：ＹＥＳ）、Ｃ（１）に、現在選択されているコンテンツ選択項目３３０を示しているＮ値が記憶される（Ｓ２８６）。次いで、Ｄの値に「２」が記憶され（Ｓ２８７）、Ｃ（１），Ｃ（２）及びＣ（３）に記憶されているＮ値に対応したコンテンツ選択項目３３０が選択状態となる（Ｓ２８５）。つまり、設定画面３１０の電池残量タブ３２０が「大」の状態で、４つ目のコンテンツ選択項目３３０が選択された際は、１回目に選択されたコンテンツ選択項目３３０が削除される。そして、現在選択されている状態が、設定テーブル１３００に記憶され（Ｓ２８８）、項目選択処理を終了する。
【０１３９】
以上説明したように、第三変形例では、表示端末１００の設定画面３１０において、電池残量が多くなるほど、コンテンツ選択項目３３０の選択の数を増やすことができる。これにより、ユーザは必要以上に多くのコンテンツ情報を設定することがなくなる。その結果、電池残量が少なくなった時に不要なコンテンツを受信して、電池を消費することがなくなる。
【０１４０】
なお、図２１のＳ２７１の処理を実行するＣＰＵ１０１が「最大数取得手段」に相当し、
図２１のＳ２７１〜Ｓ２８８の処理を実行するＣＰＵ１０１が「受付手段」に相当する。また、ＲＯＭ１０２が「最大数記憶手段」に相当する。
【０１４１】
上述した第三変形例では、コンテンツ選択項目３３０を選択した後は、その選択を解除できないようになっているが、選択状態にあるコンテンツ選択項目３３０を再度、選択した場合、その選択を解除するようにしてもよい。
【０１４２】
ここで、上述した第三変形例では、ＲＯＭ１０２に記憶されたプログラムに、各電池残量に対して設定可能なコンテンツ選択項目３３０の最大数を、電池残量毎に対応づけて記憶しているが、これに限定しない。例えば、読書き可能なメモリカード１１０に、各電池残量に対して設定可能なコンテンツ選択項目３３０の最大数を、電池残量毎に対応づけて記憶し、ユーザからの更新要求を受けて、この最大数を変更できるようにしてもよい。
【０１４３】
また、上述した実施の形態では、表示端末１００のメモリカード１１０に設定テーブル記憶エリア１１０２を設け、設定テーブル１３００を記憶させている。そして、表示端末１００から設定テーブル１３００を変更する処理を行っているが、これに限定されない。例えば、サーバ２００に設定テーブル１５００（図１８参照）を記憶させ、表示端末１００から設定テーブル１５００を変更する処理を行っても問題はない。
【０１４４】
次に、図５，図１８，図２２，図２３を参照して、第四変形例について説明する。第四変形例では、サーバ２００のＨＤＤ２０４に設定テーブル１５００を記憶し、表示端末１００から設定テーブル１３００を変更する処理を行う。図２２は、第四変形例における表示端末１００のメイン処理である。図２３は、第四変形例におけるサーバ２００のメイン処理である。なお、第四変形例における表示端末１００のメイン処理で実行されるタブ選択処理（図１１参照）、コンテンツ選択処理（図１２参照）、及び項目選択処理（図２１参照）は、上述して実施の形態、及び変形例と同様の処理のため、その説明を省略する。また、第四変形例の表示端末１００、サーバ２００の電気的構成は、上述した実施の形態の表示端末１００、サーバ２００の電気的構成と同様のため説明を省略する。
【０１４５】
この表示端末１００のメイン処理は、表示端末１００の電源がＯＮになった際に実行される。図２２に示すように、表示端末１００のメイン処理が実行されると、パスワードが入力したか否かが判断される（Ｓ２３１）。このパスワードは、サーバ２００のＨＤＤ２０４の設定テーブル記憶エリア２００１に記憶された設定テーブル１５００（図１８参照）を変更するためのものであり、入力部１０５を介して入力される。パスワードが入力されていないと判断された場合（Ｓ２３１：ＮＯ）、表示端末１００の電源がＯＦＦになったか否かが判断される（Ｓ２４８）。これは、電源スイッチ１１３がＯＦＦにされ、電源制御部１１１でＯＦＦの信号を検出したか否かで判断される。電源がＯＦＦになっていないと判断された場合（Ｓ２４８：ＮＯ）、Ｓ２３１へ移行する。そして、パスワードが入力されるか、表示端末１００の電源がＯＦＦになるまで、Ｓ２３１、Ｓ２４８の処理を繰り返す。そして、電源がＯＦＦになった場合（Ｓ２４８：ＹＥＳ）、表示端末１００のメイン処理を終了する。
【０１４６】
パスワードが入力されたと判断された場合（Ｓ２３１：ＹＥＳ）、端末ＩＤをサーバに送信する（Ｓ２３２）。この端末ＩＤは、メモリカード１１０の端末ＩＤ記憶エリア１１０１に記憶されている表示端末１００を識別するＩＤである。そして、カウントが開始される（Ｓ２３３）。このカウント開始の処理は、タイマカウンタである第１カウンタを用いて行われる。この第１カウンタはＣＰＵ１０１に接続した計時装置１０８からの信号に基づいてカウントアップされる。次いで、設定テーブル１３００（図５参照）をサーバ２００から受信したか否かの判断が行われる（Ｓ２３４）。この設定テーブル１３００は、Ｓ２３２で送信した端末ＩＤ、及びサーバ２００の設定テーブル記憶エリア２００１に記憶されている設定テーブル１５００に基づいて作成され、サーバ２００から送信される。
【０１４７】
サーバ２００から設定テーブル１３００を受信していないと判断された場合（Ｓ２３４：ＮＯ）、第６カウンタにより計測された時間が１０分を経過したか否かの判断が行われる（Ｓ２３５）。第６カウンタにより計測が開始された直後は、第６カウンタは１０分を経過していないため（Ｓ２３５：ＮＯ）、Ｓ２３４へ移行し、サーバ２００から設定テーブル１３００を受信したか否かの判断処理が繰り返し行われる。
【０１４８】
サーバ２００から設定テーブル１３００を受信せず、第６カウンタにより計測された時間が１０分を経過した場合（Ｓ２３５：ＹＥＳ）、第６カウンタを停止し、カウント値を「０」に初期化する処理がおこなわれ（Ｓ２４７）、Ｓ２４８へ移行する。
【０１４９】
また、サーバ２００から設定テーブル１３００を受信したと判断された場合（Ｓ２３４：ＹＥＳ）、受信した設定テーブル１３００がＲＡＭ１０３に一時的に記憶される（Ｓ２３６）。そして、ＲＡＭ１０３に一時的に記憶されている上述した変数である、Ｎ値，Ｍ値，Ａ（１），Ａ（２），Ｂ値，Ｃ（１），Ｃ（２），Ｃ（３），Ｄ値が初期化される（Ｓ２３７）。ここで、Ｎ値，Ｂ値，Ｄ値は「１」に初期化され、Ｍ値，Ａ（１），Ａ（２），Ｃ（１），Ｃ（２），Ｃ（３）は「０」に初期化される。
【０１５０】
次いで、設定画面３１０（図９参照）の電池残量タブ３２０の選択位置が、Ｍ値に対応して選択される（Ｓ２３８）。そして、タブ選択処理（図１１参照）が実行される（Ｓ２３９）。
【０１５１】
そして、決定キー３５４が押されたか否かが判断される（Ｓ２４０）。決定キー３５４が押されたか否かの判断は、ＲＡＭ１０３に記憶されている決定キー設定フラグ（図示外）に基づいて判断される。この決定キー設定フラグは、ユーザが決定キー３５４を押した際に「１」に設定される。そして、Ｓ２４０において決定キー３５４が押されたと判断されると同時に、決定キー設定フラグに「０」が設定される。
【０１５２】
決定キー３５４が押されていないと判断された場合（Ｓ２４０：ＮＯ）、つまり、決定キー設定フラグに「０」が設定されていると判断された場合、再度、タブ選択処理が実行される（Ｓ２３９）。
【０１５３】
決定キー３５４が押されたと判断された場合（Ｓ２４０：ＹＥＳ）、つまり、決定キー設定フラグに「１」が設定されていると判断された場合、コンテンツ選択処理（図１２参照）が実行される（Ｓ２４１）。
【０１５４】
次いで、完了キー３５１が押された否かの判断が行われる（Ｓ２４２）。完了キー３５１が押されたか否かの判断は、ＲＡＭ１０３に記憶されている完了キー設定フラグ（図示外）に基づいて判断される。この完了キー設定フラグは、ユーザが完了キー３５１を押した際に「１」に設定される。そして、完了キー３５１が押されたと判断された場合（Ｓ２４２：ＹＥＳ）、完了キー設定フラグに「０」が設定される。完了キー３５１が押されていないと判断された場合（Ｓ２４２：ＮＯ）、つまり、決定キー設定フラグに「０」が設定されていると判断された場合、Ｓ２４７へ移行する。
【０１５５】
また、完了キー３５１が押されたと判断されると（Ｓ２４２：ＹＥＳ）、設定画面３１０で設定された項目が、ＲＡＭに一時的に記憶されている設定テーブル１３００に設定される（Ｓ２４４）。そして、送信キー３５３が押されたか否かの判断が行われる（Ｓ２４５）。送信キー３５３が押されたか否かの判断は、ＲＡＭ１０３に記憶されている送信キー設定フラグ（図示外）に基づいて判断される。この送信キー設定フラグは、ユーザが送信キー３５３を押した際に「１」に設定される。そして、送信キー３５３が押されたと判断された場合（Ｓ２４５：ＹＥＳ）、送信キー設定フラグに「０」が設定される。送信キー３５３が押されていないと判断された場合（Ｓ２４５：ＮＯ）、つまり、送信キー設定フラグに「０」が設定されていると判断された場合、Ｓ２３９へ移行する。
【０１５６】
送信キー３５３が押されたと判断された場合（Ｓ２４５：ＹＥＳ）、ＲＡＭ１０３に一時的に記憶されている設定テーブル１３００がサーバ２００に送信され（Ｓ２４６）、Ｓ２４７へ移行する。
【０１５７】
次に、図２３を参照して、サーバ２００のメイン処理について説明する。このサーバ２００のメイン処理は、サーバ２００の電源がＯＮになった際に実行される。サーバ２００のメイン処理が実行されると、表示端末１００から端末ＩＤを受信したか否かが判断される（Ｓ２５１）。この端末ＩＤは、図２２のＳ２３２で、表示端末１００から送信されるものである。表示端末１００から端末ＩＤを受信していないと判断された場合（Ｓ２５１：ＮＯ）、サーバ２００の電源がＯＦＦになったか否かが判断される（Ｓ２５８）。この判断処理は、電源スイッチ２１４がＯＦＦにされ、電源制御部２１３でＯＦＦの信号を検出したか否かで判断される。電源がＯＦＦになっていないと判断された場合（Ｓ２５８：ＮＯ）、Ｓ２５１へ移行する。そして、端末IDを受信するか、サーバ２００の電源がＯＦＦになるまで、Ｓ２５１：ＮＯ、Ｓ２５８：ＮＯの処理を繰り返す。そして、電源がＯＦＦになった場合（Ｓ２５８：ＹＥＳ）、サーバ２００のメイン処理を終了する。
【０１５８】
また、表示端末１００から端末ＩＤを受信した場合（Ｓ２５１：ＹＥＳ）、設定テーブル１３００を表示端末１００に送信される（Ｓ２５２）。この設定テーブル１３００は、サーバ２００のＨＤＤ２０４の設定テーブル記憶エリア２００１に記憶されている設定テーブル１５００、及びＳ２５１で受信した端末ＩＤに基づいて作成される。ここで、例えば、表示端末１００から受信した端末ＩＤが「０００１」、設定テーブル記憶エリア２００１に記憶されている設定テーブル１５００が、図１８に示す設定テーブル１５００であるとすると、作成される設定テーブル１３００は、図５に示す設定テーブル１３００となる。
【０１５９】
次いで、カウントが開始される（Ｓ２５３）。このカウントの開始処理は、タイマカウンタである第７カウンタを用いて行われる。この第３カウンタはＣＰＵ２０１に接続した計時装置２１２からの信号に基づいてカウントアップされる。次いで、表示端末１００から変更された設定テーブル１３００を受信したか否かが判断される（Ｓ２５４）。この変更された設定テーブル１３００は、図２２のＳ２４６で送信された設定テーブル１３００である。
【０１６０】
変更された設定テーブル１３００を受信していないと判断した場合（Ｓ２５４：ＮＯ）、第７カウンタにより計測された時間が１０分を経過したか否かの判断が行われる（Ｓ２５５）。第７カウンタにより計測が開始された直後は、第７カウンタは１０分を経過していないため（Ｓ２５５：ＮＯ）、Ｓ２５４へ移行する。そして、変更された設定テーブル１３００を受信するか、第７カウンタが１０分を経過するまで、Ｓ２５４，Ｓ２５５の処理を繰り返す。
【０１６１】
そして、変更された設定テーブル１３００を表示端末１００から受信せず、第７カウンタが１０分を経過すると（Ｓ２５５：ＹＥＳ）、第７カウンタを停止し、第７カウンタを「０」に初期化する処理がおこなわれ（Ｓ２５７）、Ｓ２５８へ移行する。
【０１６２】
また、設定テーブル１３００を受信した場合（Ｓ２５４：ＹＥＳ）、受信した設定テーブル１３００の情報が、ＨＤＤ２０４の設定テーブル記憶エリア２００１に記憶されている設定テーブル１５００に記憶され（Ｓ２５６）、Ｓ２５８へ移行する。ここで、例えば、図５に示す設定テーブル１３００が表示端末１００から送信され、図１８に示す設定テーブル１５００がＨＤＤ２０４の設定テーブル記憶エリア２００１に記憶されているとすると、設定テーブル１５００で端末ＩＤが「０００１」の情報が記憶された場所に、送信された設定テーブル１３００が記憶される。
【０１６３】
以上説明したように、第四変形例のサーバ２００は、予めＨＤＤ２０４の設定テーブル記憶エリア２００１に、設定テーブル１５００が記憶されている。そして、表示端末１００から端末ＩＤが送信されることにより、設定テーブル１５００から端末ＩＤに対応した情報を取得する。そして、設定テーブル１３００を作成し、表示端末１００に送信する。表示端末１００は、設定テーブル１３００をサーバ２００から受信し、変更した設定テーブル１３００を再度、サーバ２００に対して送信する。サーバ２００は、変更された設定テーブル１３００を受信し、ＨＤＤ２０４の設定テーブル記憶エリア２００１に記憶されている設定テーブル１５００を更新することができる。これにより、サーバ２００に記憶されている設定テーブル１５００を表示端末１００から更新し、保存することができる。その結果、ユーザは、場所を問わず常時携帯している可能性が高い表示端末１００で、受信したいコンテンツ項目の変更が容易に行うことができる。
【０１６４】
また、上述した実施の形態では、コンテンツ特定項目は、表示端末１００の設定画面３１０（図９参照）のコンテンツ選択項目３３０を選択することにより設定されるが、設定方法については、これに限定されない。例えば、各コンテンツ選択項目３３０に対して、コンテンツ受信条件項目３３１を設け、サーバ２００から受信するための条件（以下、「コンテンツ受信条件」という。）をさらに設定するようにしてもよい。そして、コンテンツ受信条件に基づいて、サーバ２００から新着コンテンツデータを受信するようにしてもよい。コンテンツ受信条件項目３３１は、コンテンツ受信条件を設定するために選択する項目である。
【０１６５】
次に、図２４〜図２８を参照して、設定画面３１０の変形例である第五変形例について説明する。図２４は、コンテンツ受信条件項目３３１が表示された際の設定画面３１０の一具体例を示す図である。図２５は、「キーワード受信」が選択された際の設定画面３１０の一具体例を示す図である。図２６は、「日付指定受信」が選択された際の設定画面３１０の一具体例を示す図である。図２７は、「アクセス人気受信」が選択された際の設定画面３１０の一具体例を示す図である。図２８は、「データ制限受信」が選択された際の設定画面３１０の一具体例を示す図である。
【０１６６】
図２４に示すように、コンテンツ選択項目３３０のチェックボックスを選択すると、コンテンツ受信条件項目３３１が表示される。コンテンツ受信条件項目３３１として、ここでは、例えば、「キーワード受信」、「日付指定受信」、「アクセス人気受信」、「データ量制限受信」が指定可能である。「キーワード受信」は、入力されたキーワードが含まれる新着コンテンツデータを、サーバ２００から受信するために選択するコンテンツ受信条件項目３３１である。「日付指定受信」は、指定された日付に更新された新着コンテンツデータを、サーバ２００から受信するために選択するコンテンツ受信条件項目３３１である。「アクセス人気受信」は、入力された件数以上、他の端末から受信された新着コンテンツデータを受信するために選択するコンテンツ受信条件項目３３１である。「データ量制限受信」は、入力されたデータ量以下の新着コンテンツデータを受信するために選択するコンテンツ受信条件項目３３１である。
【０１６７】
また、設定画面３１０の下側には、「戻る」ボタン３６０が設けられている。そして、上キー３５５、又は下キー３５７により、「戻る」ボタン３６０にフォーカスが当てられ、決定キー３５４が押されることで設定画面３１０の各コンテンツ受信条件項目３３１が非表示の状態となる。
【０１６８】
次に、図２５を参照して、コンテンツ受信条件項目３３１で「キーワード受信」が選択された際の設定画面３１０について説明する。図２５に示すように、コンテンツ受信条件項目３３１で「キーワード受信」が選択されると、キーワード入力領域３３５が表示される。キーワード入力領域３３５には、文字入力キー３７０を使用することで、数字を含む文字の入力が可能となり、キーワードを入力することができる。このキーワードには、複数の文字列を入力することができ、その際は、ＣＳＶ（Ｃｏｍｍａ  Ｓｅｐａｒａｔｅｄ  Ｖａｌｕｅｓ）形式の入力フォーマットで入力する。そして、複数のキーワードが指定された際は、全てを含んだ新着コンテンツデータが、受信する対象の新着コンテンツデータとなる。ここで、例えば、図２５においては、「野球」、「バスケ」、「バレー」のキーワードが入力された状態である。
【０１６９】
また、キーワードの入力後、完了キー３５１が押されると、設定画面３１０で設定した情報が表示端末１００に記憶される。その際、コンテンツ受信条件項目３３１、及びコンテンツ受信条件は、コンテンツ選択項目３３０に対応付けられて設定テーブル記憶エリア１１０２（図４参照）に記憶される。そして、サーバ２００に送信され、サーバ２００のＨＤＤ２０４に、設定画面３１０のキーワード入力領域３３５で入力されたキーワードを全て含む新着コンテンツデータがあるか否かが判断される（図１４：Ｓ１１２）。そして、該当する新着コンテンツデータがある場合は、新着コンテンツデータを受信し（図８：Ｓ３３）、保存する（図８：Ｓ３４）。
【０１７０】
次に、図２６を参照して、コンテンツ受信条件項目３３１で「日付指定受信」が選択された際の設定画面３１０について説明する。図２６に示すように、コンテンツ受信条件項目３３１で「日付指定受信」が選択されると、日付指定領域３３６が表示される。日付指定領域３３６は、カレンダーが表示される。ここで、例えば、図２６においては、「２００８年６月」のカレンダーが表示されている。決定キー３５４，上キー３５５，左キー３５６，下キー３５７，及び右キー３５８により、カレンダーの各「日」、又は各「曜日」にフォーカスを移動することができ、決定キー３５４を押すことで選択可能となる。ここで、「曜日」を選択し、決定キー３５４を押すことで、表示されている月の該当する「曜日」あたる「日」が選択される。例えば、図２６においては、「木曜日」が選択された状態である。
【０１７１】
また、カレンダーで各「日」、又は「曜日」が選択された後、完了キー３５１が押されると、設定画面３１０で設定した情報が表示端末１００に記憶される。その際、コンテンツ受信条件項目３３１、及びコンテンツ受信条件は、コンテンツ選択項目３３０に対応付けられて設定テーブル記憶エリア１１０２（図４参照）に記憶される。そして、サーバ２００に送信され、サーバ２００のＨＤＤ２０４に、設定画面３１０の日付指定領域３３６で指定された「日」、又は「曜日」に更新された新着コンテンツデータがあるか否かが判断される（図１４：Ｓ１１２）。そして、該当する新着コンテンツデータがある場合は、新着コンテンツデータを受信し（図８：Ｓ３３）、保存する（図８：Ｓ３４）。
【０１７２】
次に、図２７を参照して、コンテンツ受信条件項目３３１で「アクセス人気受信」が選択された際の設定画面３１０について説明する。図２７に示すように、コンテンツ受信条件項目３３１で「アクセス人気受信」が選択されると、アクセス件数入力領域３３７が表示される。アクセス件数入力領域３３７には、文字入力キー３７０を使用することで、数字が可能となり、アクセス件数を入力することができる。ここで、例えば、図２７においては、アクセス件数が「１５０」件が入力されたものであり、他の表示端末１００から「１５０」件以上、受信された新着コンテンツデータが対象となる。
【０１７３】
また、アクセス件数の入力後、完了キー３５１が押されると、設定画面３１０で設定した情報が表示端末１００に記憶される。その際、コンテンツ受信条件項目３３１、及びコンテンツ受信条件は、コンテンツ選択項目３３０に対応付けられて設定テーブル記憶エリア１１０２（図４参照）に記憶される。そして、サーバ２００に送信され、サーバ２００のＨＤＤ２０４に、設定画面３１０のアクセス件数入力領域３３７で入力された件数以上受信された新着コンテンツデータがあるか否かが判断される（図１４：Ｓ１１２）。そして、該当する新着コンテンツデータがある場合は、新着コンテンツデータを受信し（図８：Ｓ３３）、保存する（図８：Ｓ３４）。
【０１７４】
次に、図２８を参照して、コンテンツ受信条件項目３３１で「データ量制限受信」が選択された際の設定画面３１０について説明する。図２８に示すように、コンテンツ受信条件項目３３１で「データ量制限受信」が選択されると、データ量制限受信入力領域３３８が表示される。データ量制限受信入力領域３３８には、文字入力キー３７０を使用することで、数字が可能となり、データ量を入力することができる。ここで、例えば、図２８においては、データ量が「４０」ＫＢ以下の条件が入力されたものであり、新着コンテンツデータのデータ量が「４０」ＫＢ以下の新着コンテンツデータが対象となる。
【０１７５】
また、データ量制限受信の入力後、完了キー３５１が押されると、設定画面３１０で設定した情報が表示端末１００に記憶される。その際、コンテンツ受信条件項目３３１、及びコンテンツ受信条件は、コンテンツ選択項目３３０に対応付けられて設定テーブル記憶エリア１１０２（図４参照）に記憶される。そして、サーバ２００に送信され、サーバ２００のＨＤＤ２０４に、設定画面３１０のデータ量制限受信入力領域３３８で入力されたデータ量以下の新着コンテンツデータがあるか否かが判断される（図１４：Ｓ１１２）。そして、該当する新着コンテンツデータがある場合は、新着コンテンツデータを受信し（図８：Ｓ３３）、保存する（図８：Ｓ３４）。
【０１７６】
以上説明したように、第五変形例の設定画面３１０では、新着コンテンツデータを受信する条件であるコンテンツ受信条件を設定することができる。そして、コンテンツ受信条件に基づいてサーバ２００から新着コンテンツデータを受信することができる。これにより、ユーザはコンテンツ選択項目３３０毎に新着コンテンツデータを受信する条件を設定できるため、必要な状況で新着コンテンツデータを受信することが可能となる。
【０１７７】
なお、上記第五変形例におけるコンテンツ受信条件が「コンテンツ属性」に相当する。
【図面の簡単な説明】
【０１７８】
【図１】表示端末１００及びサーバ２００の接続形態の一例を示す図である。
【図２】サーバ２００の電気的構成を示すブロック図である。
【図３】表示端末１００の電気的構成を示すブロック図である。
【図４】表示端末１００のメモリカード１１０の構成を示す模式図である。
【図５】設定テーブル１３００の構成を示す模式図である。
【図６】送信テーブル１４００の構成を示す模式図である。
【図７】表示端末１００のメイン処理である。
【図８】表示端末１００で実行されるコンテンツ受信処理のフローチャートである。
【図９】設定画面３１０が表示された表示端末１００の一具体例を示す図である。
【図１０】表示端末１００で実行される切替キー押下処理である。
【図１１】表示端末１００で実行されるタブ選択処理のフローチャートである。
【図１２】表示端末１００で実行されるコンテンツ選択処理のフローチャートである。
【図１３】表示端末１００で実行される項目選択処理のフローチャートである。
【図１４】サーバ２００で実行されるメイン処理である。
【図１５】第一変形例の表示端末１００のメモリカード１１０の構成を示す模式図である。
【図１６】第一変形例の表示端末１００のメイン処理である。
【図１７】第二変形例のサーバ２００のＨＤＤ２０４の構成を示す模式図である。
【図１８】第二変形例の設定テーブル１５００の構成を示す模式図である。
【図１９】第二変形例の表示端末１００のメイン処理である。
【図２０】第二変形例のサーバ２００のメイン処理である。
【図２１】第三変形例の項目選択処理のフローチャートである。
【図２２】第四変形例における表示端末１００のメイン処理である。
【図２３】第四変形例におけるサーバ２００のメイン処理である。
【図２４】コンテンツ受信条件項目３３１が表示された際の設定画面３１０の一具体例を示す図である。
【図２５】「キーワード受信」が選択された際の設定画面３１０の一具体例を示す図である。
【図２６】「日付指定受信」が選択された際の設定画面３１０の一具体例を示す図である。
【図２７】「アクセス人気受信」が選択された際の設定画面３１０の一具体例を示す図である。
【図２８】「データ制限受信」が選択された際の設定画面３１０の一具体例を示す図である。
【符号の説明】
【０１７９】
１        データ更新システム
３        通信回線
１００    表示端末
２００    サーバ
１０１，２０１    ＣＰＵ
１０２    ＲＯＭ
１０３，２０３    ＲＡＭ
１０５    入力部
１０６    表示制御部
１０７    表示部
１１０    メモリカード
１１１    電源制御部
１１２    電池
１１４，２０６    通信制御部
２０４    ＨＤＤ
３１０    設定画面
３２０    電池残量タブ
３３０    コンテンツ選択項目
３３１    コンテンツ受信条件項目
３３５    キーワード入力領域
３３６    日付指定領域
３３７    アクセス件数入力領域
３３８    データ量制限受信入力領域
１１０２  設定テーブル記憶エリア
１１０３  コンテンツデータ記憶エリア
１３００，１５００  設定テーブル
１４００  送信テーブル
【図１】
2010086312.tif 000003
【図２】
2010086312.tif 000004
【図３】
2010086312.tif 000005
【図４】
2010086312.tif 000006
【図５】
2010086312.tif 000007
【図６】
2010086312.tif 000008
【図７】
2010086312.tif 000009
【図８】
2010086312.tif 000010
【図９】
2010086312.tif 000011
【図１０】
2010086312.tif 000012
【図１１】
2010086312.tif 000013
【図１２】
2010086312.tif 000014
【図１３】
2010086312.tif 000015
【図１４】
2010086312.tif 000016
【図１５】
2010086312.tif 000017
【図１６】
2010086312.tif 000018
【図１７】
2010086312.tif 000019
【図１８】
2010086312.tif 000020
【図１９】
2010086312.tif 000021
【図２０】
2010086312.tif 000022
【図２１】
2010086312.tif 000023
【図２２】
2010086312.tif 000024
【図２３】
2010086312.tif 000025
【図２４】
2010086312.tif 000026
【図２５】
2010086312.tif 000027
【図２６】
2010086312.tif 000028
【図２７】
2010086312.tif 000029
【図２８】
2010086312.tif 000030